(57)【要約】【課題】  髪に対するトリートメントにおいて、トリートメント液を十分髪の内部に浸透させることができるトリートメント装置を提供する。【解決手段】  トリートメント装置Ａ１は、動作機構部１２を有する装置本体部５と、櫛部４０とを有し、動作機構部１２は、電源部１４と、モータ（駆動部）１６と、歯車１８と、ギア２０と、カム部２２と、ロッド２４と、軸部２６とを有していて、櫛部４０を櫛部４０の長手方向に往復動させるようになっている。【選択図】        図１
2006304988.tif 000002
【特許請求の範囲】
【請求項１】
トリートメント装置であって、
櫛形状を呈する櫛部で、該櫛部の長手方向に沿って複数の櫛歯部を有する櫛部と、
該櫛部を、該櫛部の該長手方向に往復動させる動作機構部を有する本体部と、
を有することを特徴とするトリートメント装置。
【請求項２】
上記動作機構部が、
回転力を出力する駆動部と、
該駆動部から出力される回転力により回転するギアと、
該ギアの回転により動作するクランク機構部と、
該クランク機構部に接続された軸部と、
を有し、
上記櫛部が、該軸部に接続されていることを特徴とする請求項１に記載のトリートメント装置。
【請求項３】
トリートメント装置であって、
櫛形状を呈する櫛部で、該櫛部の長手方向に沿って設けられた複数の櫛歯部と、該複数の櫛歯部を支持し、該長手方向に設けられた本体部とを有する櫛部と、
該櫛部を往復動させる動作機構部で、往復動における移動経路が、少なくとも該櫛部の該長手方向に直角な成分と該櫛部の長手方向の成分とを有する方向の経路を有する動作機構部を有する本体部と、
を有することを特徴とするトリートメント装置。
【請求項４】
上記動作機構部が、上記櫛部を櫛部の長手方向に向けた状態で所定の回動中心軸を中心に回動させながら往復動させることを特徴とする請求項３に記載のトリートメント装置。
【請求項５】
上記動作機構部が、
往復運動を出力する往復運動出力部と、
該往復運動出力部に接続された軸部と、
該軸部を上記櫛部の長手方向に向けた状態で所定の回動中心軸を中心に回動させながら支持する揺動部と、
を有し、
上記櫛部が、該軸部に接続されていることを特徴とする請求項３又は４に記載のトリートメント装置。
【請求項６】
上記揺動部が、
上記動作機構部の軸部を回動させる第１回動部材で、一方の端部が上記本体部に回転可能に軸支された第１回動部材と、
上記動作機構部の軸部を回動させる第２回動部材で、該第１回動部材とは軸部の軸線方向に沿って所定の間隔を介して設けられた第２回動部材で、一方の端部が上記本体部に回転可能に軸支された第２回動部材と、
を有することを特徴とする請求項５に記載のトリートメント装置。
【請求項７】
上記往復運動出力部が、
回転力を出力する駆動部と、
該駆動部から出力される回転力により回転するギアと、
該ギアの回転により動作するクランク機構部と、
を有することを特徴とする請求項５又は６に記載のトリートメント装置。
【請求項８】
上記櫛部の往復動に際して、櫛部が後端位置から先端側に移動する場合には、櫛部における櫛歯部の先端側が下方に下降し、一方、櫛部が先端位置から後端側に移動する場合には、櫛部における櫛歯部の先端側が上方に上昇することを特徴とする請求項３又は４又は５又は６又は７に記載のトリートメント装置。
【請求項９】
上記櫛部の往復動に際して、櫛部が後端位置から先端側に移動する場合には、櫛部における櫛歯部の先端側が上方に上昇し、一方、櫛部が先端位置から後端側に移動する場合には、櫛部における櫛歯部の先端側が下方に下降することを特徴とする請求項３又は４又は５又は６又は７に記載のトリートメント装置。
【請求項１０】
上記動作機構部が、上記櫛部を櫛部の長手方向に向けた状態で周回移動させることを特徴とする請求項３に記載のトリートメント装置。
【請求項１１】
上記動作機構部が、
回転力を出力する駆動部と、
該駆動部から出力される回転力により回転する第１ギアで、上記櫛部の長手方向とは直角な方向の回転軸を中心に回転する第１ギアと、
該第１ギアに設けられた第１カム部で、該第１ギアの回転軸に偏心して設けられ、円柱状の周面を有する第１カム部と、
該第１ギアと歯合する第２ギアと、
該第２ギアに歯合する第３ギアで、該第１ギアの回転軸と平行な回転軸を中心に回転する第３ギアと、
該第３ギアに設けられた第２カム部で、該第３ギアの回転軸に偏心して設けられ、円柱状の周面を有する第３カム部と、
該第１カム部と該第２カム部の回転により往復動するロッド状部で、該第１カム部に回転可能に周設された第１円筒状部と、該第２カム部に回転可能に周設された第２円筒状部と、該第１円筒状部と該第２円筒状部とを連結するために該第１円筒状部と該第２円筒状部間に設けられた該第１軸部と、該第２円筒状部に設けられた該第２軸部と、を有し、該第１軸部と該第２軸部とが同一直線状に配設されたロッド状部と、
を有し、
上記櫛部は、該第２軸部に接続されていることを特徴とする請求項３又は１０に記載のトリートメント装置。
【請求項１２】
上記トリートメント装置が、櫛形状を呈する第２櫛部で、該第２櫛部の長手方向に沿って複数の櫛歯部を有し、上記本体部に固定された第２櫛部を有し、上記櫛部と該第２櫛部とは互いに平行に設けられていることを特徴とする請求項１又は２又は３又は４又は５又は６又は７又は８又は９又は１０又は１１に記載のトリートメント装置。
【請求項１３】
上記トリートメント装置が、櫛形状を呈する第２櫛部で、該第２櫛部の長手方向に沿って複数の櫛歯部を有する第２櫛部を有し、上記櫛部と該第２櫛部とは互いに平行に設けられていて、該第２櫛部は、該第２櫛部の該長手方向に往復動させる第２動作機構部により往復動されることを特徴とする請求項１又は２又は３又は４又は５又は６又は７又は８又は９又は１０又は１１に記載のトリートメント装置。
【請求項１４】
上記櫛部の櫛歯部と上記第２櫛部の櫛歯部とは、上記櫛部の長手方向に沿って一列に配設されていることを特徴とする請求項１２又は１３に記載のトリートメント装置。
【請求項１５】
上記櫛部の櫛歯部は、上記第２櫛部における隣接する櫛歯部と最も接近した場合に所定の隙間が形成されるように往復動することを特徴とする請求項１４に記載のトリートメント装置。
【請求項１６】
上記櫛部及び／又は上記第２櫛部は、上記複数の櫛歯部と、該櫛歯部を支持する本体部とを有し、該櫛歯部は、該本体部から連設された櫛歯部本体と、該櫛歯部本体に周設された該櫛歯部本体に対して回転可能な円筒状部とを有することを特徴とする請求項１又は２又は３又は４又は５又は６又は７又は８又は９又は１０又は１１又は１２又は１３又は１４又は１５に記載のトリートメント装置。
【請求項１７】
上記櫛歯部における櫛歯部本体は、円柱状を呈する柱状部と、該柱状部の先端に設けられ、該柱状部よりも大径な先端部とを有し、上記円筒状部は、該柱状部の周りに設けられていることを特徴とする請求項１６に記載のトリートメント装置。
【請求項１８】
上記櫛歯部における円筒状部の内径は、櫛歯部本体における柱状部の外径よりも大径であり、該柱状部の周囲には、弾性部材が設けられていることを特徴とする請求項１７に記載のトリートメント装置。
【請求項１９】
上記櫛部及び／又は上記第２櫛部の往復動の回数が１０００〜５０００回／秒であることを特徴とする請求項１又は２又は３又は４又は５又は６又は７又は８又は９又は１０又は１１又は１２又は１３又は１４又は１５又は１６又は１７又は１８に記載のトリートメント装置。
【発明の詳細な説明】
【技術分野】
【０００１】
本発明は、髪を解くためのトリートメント装置に関するものである。
【背景技術】
【０００２】
従来より、髪に対するトリートメントが行われている。このトリートメントは、パーマ・カラーなどの施術や、ドライヤーの熱や紫外線等の外的刺激によって、外部的及び／又は内部的に髪が傷んだ場合に髪を修復・改善するために行われる。このトリートメントの種類としては、髪の外部を修復・改善するもの（具体的には、髪の表面にシリコンやＰＰＴ（髪の成分に近いといわれるたんぱく質）を付着させるもの）と、髪の内部を修復・改善するもの（具体的には、髪の内部にＰＰＴ等のトリートメント液を浸透させるもの）とに大別できる。髪の外部に付着させる方法の場合には、ドライヤーやシャンプー等の外的刺激により付着した物質が剥がれやすく、場合によっては、弱った髪の組織を一緒に剥がすおそれがあり、髪の内部を修復・改善する方法が好ましいといえる。
【０００３】
トリートメント液を浸透させるには、まず、髪をシャンプーする等して髪を濡らして髪を覆っている毛表皮（キューティクル）を開かせた後に、トリートメントを施術して行なうのが一般的である。つまり、トリートメントに際しては、トリートメント液を髪に付着させ、櫛を使用してトリートメント液を髪になじませていく。
【０００４】
なお、出願人は、先行技術文献として、以下の特許文献を知得している。
【特許文献１】特開２００１−１２０３３５号公報
【発明の開示】
【発明が解決しようとする課題】
【０００５】
しかし、トリートメントに際して、髪を濡らして毛表皮を開かせた状態では、髪の内部には水分が十分膨潤していて飽和状態となっていて、トリートメント液を浸透させようとしても髪の内部に浸透しないという問題がある。
【０００６】
また、上記特許文献１に記載の超音波コーミング装置によれば、超音波振動によって櫛体から髪に対して超音波振動が伝わるが、極めて微細に振動するのみであるので、髪の内部に浸透している水分を排出させるには十分ではない。
【０００７】
そこで、本発明が解決しようとする問題点は、髪に対するトリートメントにおいて、トリートメント液を十分髪の内部に浸透させることができるトリートメント装置を提供することである。
【課題を解決するための手段】
【０００８】
本発明は上記問題点を解決するために創作されたものであって、第１には、トリートメント装置（トリートメント用櫛装置、櫛装置、コーミング装置としてもよい。他においても同じ）であって、櫛形状を呈する櫛部で、該櫛部の長手方向に沿って複数の櫛歯部を有する櫛部と、該櫛部を、該櫛部の該長手方向に往復動させる動作機構部を有する本体部と、を有することを特徴とする。
【０００９】
この第１の構成のトリートメント装置においては、髪を濡らす等して毛表皮が開いていて髪の内部に水分が含まれた状態で、トリートメント液を髪に付着させてトリートメント装置により髪をといていく。すると、トリートメント装置においては、櫛部が、動作機構部によって櫛部の該長手方向に往復動されるので、髪に適度な圧力が付与され、これにより、髪の内部の水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。よって、トリートメント液を十分髪の内部に浸透させることができる。
【００１０】
また、第２には、上記第１の構成において、上記動作機構部が、回転力を出力する駆動部と、該駆動部から出力される回転力により回転するギアと、該ギアの回転により動作するクランク機構部と、該クランク機構部に接続された軸部と、を有し、上記櫛部が、該軸部に接続されていることを特徴とする。
【００１１】
この第２の構成においては、回転力を往復動に変えて櫛部を往復動させるので、十分な振幅の往復動を与えることができ、髪に適度な圧力を掛けることができる。
【００１２】
また、第３には、トリートメント装置であって、櫛形状を呈する櫛部で、該櫛部の長手方向に沿って設けられた複数の櫛歯部と、該複数の櫛歯部を支持し、該長手方向に設けられた本体部とを有する櫛部と、該櫛部を往復動させる動作機構部で、往復動における移動経路が、少なくとも該櫛部の該長手方向に直角な成分と該櫛部の長手方向の成分とを有する方向の経路を有する動作機構部を有する本体部と、を有することを特徴とする。
【００１３】
この第３の構成のトリートメント装置においては、髪を濡らす等して毛表皮が開いていて髪の内部に水分が含まれた状態で、トリートメント液を髪に付着させてトリートメント装置により髪をといていく。すると、トリートメント装置においては、櫛部が、動作機構部によって櫛部の該長手方向に往復動されるので、髪に適度な圧力が付与され、これにより、髪の内部の水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。よって、トリートメント液を十分髪の内部に浸透させることができる。さらに、往復動における移動経路が、少なくとも該櫛部の該長手方向に直角な成分と該櫛部の長手方向の成分とを有する方向の経路を有するので、髪に対して櫛歯部から髪に対して付与される力が櫛部の長手方向のみならず、該長手方向に対して直角な方向の成分を有する方向にも髪に圧力を付与することができ、髪の水分を十分排出させることができる。特に、櫛部の本体部も髪に当たって圧力を付与できるので、髪の水分を十分排出させることができる。
【００１４】
なお、上記第３の構成を「トリートメント装置であって、櫛形状を呈する櫛部で、該櫛部の長手方向に沿って設けられた複数の櫛歯部と、該複数の櫛歯部を支持し、該長手方向に設けられた本体部とを有する櫛部と、該櫛部を上下動しながら該櫛部の長手方向に往復動させる動作機構部を有する本体部と、を有することを特徴とするトリートメント装置。」としてもよい。
【００１５】
また、上記第１や第３の構成において、櫛部が、本体部（又は動作機構部）に対して着脱自在としてもよい。
【００１６】
また、第４には、上記第３の構成において、上記動作機構部が、上記櫛部を櫛部の長手方向に向けた状態で所定の回動中心軸を中心に回動させながら往復動させることを特徴とする。よって、櫛部を上下方向に移動させながら往復動させることができるので、髪の水分を十分排出させることができる。また、櫛部は長手方向に向いた状態で往復動するので、髪を解く際に支障となることがない。
【００１７】
また、第５には、上記第３又は第４の構成において、上記動作機構部が、往復運動を出力する往復運動出力部と、該往復運動出力部に接続された軸部と、該軸部を上記櫛部の長手方向に向けた状態で所定の回動中心軸を中心に回動させながら支持する揺動部と、を有し、上記櫛部が、該軸部に接続されていることを特徴とする。
【００１８】
よって、櫛部を上下方向に移動させながら往復動させることができるので、髪の水分を十分排出させることができる。また、櫛部は長手方向に向いた状態で往復動するので、髪を解く際に支障となることがない。
【００１９】
また、第６には、上記第５の構成において、上記揺動部が、上記動作機構部の軸部を回動させる第１回動部材で、一方の端部が上記本体部に回転可能に軸支された第１回動部材と、上記動作機構部の軸部を回動させる第２回動部材で、該第１回動部材とは軸部の軸線方向に沿って所定の間隔を介して設けられた第２回動部材で、一方の端部が上記本体部に回転可能に軸支された第２回動部材と、を有することを特徴とする。このようにすることにより、櫛部を櫛部の長手方向に向けた状態で所定の回動中心軸を中心に回動させながら往復動させることができる。
【００２０】
なお、上記揺動部の構成を以下のようにしてもよい。つまり、「上記揺動部が、上記動作機構部の軸部が挿通された筒状部と、該筒状部を回動させる第１回動部材で、一方の端部が上記本体部に回転可能に軸支され、他方の端部が筒状部に回転可能に軸支された第１回動部材と、該筒状部を回動させる第２回動部材で、該第１回動部材とは軸部の軸線方向に沿って所定の間隔を介して設けられた第２回動部材で、一方の端部が上記本体部に回転可能に軸支され、他方の端部が筒状部に回転可能に軸支された第２回動部材と、を有し、上記動作機構部の軸部における該筒状部の両側には、筒状部の抜けを防止するための抜け防止部材が設けられていることを特徴とする。」ものとしてもよい。
【００２１】
また、第７には、上記第５又は第６の構成において、上記往復運動出力部が、回転力を出力する駆動部と、該駆動部から出力される回転力により回転するギアと、該ギアの回転により動作するクランク機構部と、を有することを特徴とする。
【００２２】
この第７の構成においては、回転力を往復動に変えて櫛部を往復動させるので、十分な振幅の往復動を与えることができ、髪に適度な圧力を掛けることができる。
【００２３】
なお、上記クランク機構部が、ギアの回転中心に偏心して設けられたカム部と、該カム部に接続されたロッドと、を有し、上記動作機構部における軸部が該ロッドに接続されていることを特徴とするものとするのが好ましい。
【００２４】
また、第８には、上記第３から第７までのいずれかの構成において、上記櫛部の往復動に際して、櫛部が後端位置から先端側に移動する場合には、櫛部における櫛歯部の先端側が下方に下降し、一方、櫛部が先端位置から後端側に移動する場合には、櫛部における櫛歯部の先端側が上方に上昇することを特徴とする。このようにすることにより、櫛部が後端位置から先端側に移動する際に、櫛歯部の先端側が下降するので、髪に対して櫛部の長手方向に対して直角な方向の成分を有する方向にも圧力を掛けることができる。
【００２５】
また、第９には、上記第３から第７までのいずれかの構成において、上記櫛部の往復動に際して、櫛部が後端位置から先端側に移動する場合には、櫛部における櫛歯部の先端側が上方に上昇し、一方、櫛部が先端位置から後端側に移動する場合には、櫛部における櫛歯部の先端側が下方に下降することを特徴とする。このようにすることにより、櫛部が先端位置から後端側に移動する際に、櫛歯部の先端側が下降するので、髪に対して櫛部の長手方向に対して直角な方向の成分を有する方向にも圧力を掛けることができる。
【００２６】
また、第１０には、上記第３の構成において、上記動作機構部が、上記櫛部を櫛部の長手方向に向けた状態で周回移動させることを特徴とする。よって、髪に対して複数の方向から圧力を掛けることができるので、髪の水分を十分排出させることができる。
【００２７】
また、第１１には、上記第３又は第１０の構成において、上記動作機構部が、回転力を出力する駆動部と、該駆動部から出力される回転力により回転する第１ギアで、上記櫛部の長手方向とは直角な方向の回転軸を中心に回転する第１ギアと、該第１ギアに設けられた第１カム部で、該第１ギアの回転軸に偏心して設けられ、円柱状の周面を有する第１カム部と、該第１ギアと歯合する第２ギアと、該第２ギアに歯合する第３ギアで、該第１ギアの回転軸と平行な回転軸を中心に回転する第３ギアと、該第３ギアに設けられた第２カム部で、該第３ギアの回転軸に偏心して設けられ、円柱状の周面を有する第３カム部と、該第１カム部と該第２カム部の回転により往復動するロッド状部で、該第１カム部に回転可能に周設された第１円筒状部と、該第２カム部に回転可能に周設された第２円筒状部と、該第１円筒状部と該第２円筒状部とを連結するために該第１円筒状部と該第２円筒状部間に設けられた該第１軸部と、該第２円筒状部に設けられた該第２軸部と、を有し、該第１軸部と該第２軸部とが同一直線状に配設されたロッド状部と、を有し、上記櫛部は、該第２軸部に接続されていることを特徴とする。
【００２８】
この第１１の構成においては、第１ギアが回転すると、これにより、第２ギアが回転し、さらに、第３ギアが回転する。そして、第１ギアが回転するに伴い、第１カム部が回転し、第１カム部が回転することにより、第１円筒状部が上下動しながら往復動する。また、第３ギアが回転するに伴い、第２カム部が回転し、第２カム部が回転することにより、第２円筒状部が上下動しながら往復動する。この第１カム部と第２カム部とは、同期して回転するので、第１円筒状部と第２円筒状部とは、同期して上下動しながら往復動する。これにより、第２軸部は、上下動しながら往復動（具体的には、櫛部の長手方向を向いた状態で周回移動を行う）するので、第２軸部に接続された櫛部も櫛部の長手方向を向いた状態で周回移動を行う。よって、髪に対して複数の方向から圧力を掛けることができるので、髪の水分を十分排出させることができる。
【００２９】
また、第１２には、上記第１から第１１までのいずれかの構成において、上記トリートメント装置が、櫛形状を呈する第２櫛部で、該第２櫛部の長手方向に沿って複数の櫛歯部を有し、上記本体部に固定された第２櫛部を有し、上記櫛部と該第２櫛部とは互いに平行に設けられていることを特徴とする。
【００３０】
この第１２の構成のトリートメント装置においては、上記櫛部が往復動することにより、該第２櫛部と往復動する上記櫛部の両方により髪に圧力を付与することができるので、髪の内部の水分を十分排出することができる。
【００３１】
また、第１３には、上記第１から第１１までのいずれかの構成において、上記トリートメント装置が、櫛形状を呈する第２櫛部で、該第２櫛部の長手方向に沿って複数の櫛歯部を有する第２櫛部を有し、上記櫛部と該第２櫛部とは互いに平行に設けられていて、該第２櫛部は、該第２櫛部の該長手方向に往復動させる第２動作機構部により往復動されることを特徴とする。
【００３２】
この第１３の構成のトリートメント装置においては、上記櫛部と上記第２櫛部とが往復動することにより、櫛部と第２櫛部の両方により髪に圧力を付与することができるので、髪の内部の水分を十分排出することができる。特に、櫛部と第２櫛部の両方が往復動するので、髪の内部の水分をより十分排出することができる。
【００３３】
なお、上記第１３の構成において、上記第２動作機構部は、上記各構成における動作機構部と同じ構成にすることが好ましい。なお、その場合に、回転力を出力する駆動部と、該駆動部から出力される回転力により回転するギアの構成は共通とし、該ギアの回転により動作するクランク機構をそれぞれ設けるのが好ましい。
【００３４】
また、第１４には、上記第１２又は第１３の構成において、上記櫛部の櫛歯部と上記第２櫛部の櫛歯部とは、上記櫛部の長手方向に沿って一列に配設されていることを特徴とする。
【００３５】
この第１４の構成によれば、髪が櫛部の櫛歯部と第２櫛部の櫛歯部とで挟んだ状態となり、髪に対して同時に左右両側から圧力が掛けられるので、髪の内部の水分を十分排出することができる。
【００３６】
また、第１５には、上記第１４の構成において、上記櫛部の櫛歯部は、上記第２櫛部における隣接する櫛歯部と最も接近した場合に所定の隙間が形成されるように往復動することを特徴とする。これにより、上記櫛部の櫛歯部と第２櫛部の櫛歯部によって髪に対して必要以上の付加を掛けるのを防止でき、髪を痛めるのを防止できる。
【００３７】
また、第１６には、上記第１から第１５までのいずれかの構成において、上記櫛部及び／又は上記第２櫛部は、上記複数の櫛歯部と、該櫛歯部を支持する本体部とを有し、該櫛歯部は、該本体部から連設された櫛歯部本体と、該櫛歯部本体に周設された該櫛歯部本体に対して回転可能な円筒状部とを有することを特徴とする。
【００３８】
この第１６の構成によれば、髪が櫛歯部に絡まった場合でも円筒状部が回転することにより、髪をほどくことができ、髪を痛めるのを防止することができる。
【００３９】
また、第１７には、上記第１６の構成において、上記櫛歯部における櫛歯部本体は、円柱状を呈する柱状部と、該柱状部の先端に設けられ、該柱状部よりも大径な先端部とを有し、上記円筒状部は、該柱状部の周りに設けられていることを特徴とする。
【００４０】
また、第１８には、上記第１７の構成において、上記櫛歯部における円筒状部の内径は、櫛歯部本体における柱状部の外径よりも大径であり、該柱状部の周囲には、弾性部材が設けられていることを特徴とする。
【００４１】
この第１８の構成においては、弾性部材が設けられているので、円筒状部が櫛歯本体に対して横方向に移動可能となり、絡まった髪を容易にほどくことができる。
【００４２】
なお、上記弾性部材は、柱状部の軸線方向に所定間隔ごとに設けられた複数の弾性部材群から構成され、各弾性部材群は、該柱状部から放射状に設けられた複数の弾性部材から構成されているようにするのが好ましい。また、上記弾性部材群における各弾性部材は、略等角度間隔で配設され、上記柱状部の軸線方向に隣接する２つの弾性部材群においては、柱状部の軸線方向から視認した場合に、一方の弾性部材群の弾性部材は、他方の弾性部材群の２つの弾性部材間にある（他方の弾性部材群の２つの弾性部材と略等角度の位置に設けられている）ことを特徴とするのが好ましい。
【００４３】
また、第１９には、上記第１から第１８までのいずれかの構成において、上記櫛部及び／又は上記第２櫛部の往復動の回数が１０００〜５０００回／秒であることを特徴とする。よって、髪に対して水分を排出するとともに、髪を痛めない適度な圧力を掛けることができる。
【発明の効果】
【００４４】
本発明に基づくトリートメント装置によれば、櫛部が往復動されるので、髪に適度な圧力が付与されるので、髪の内部の水分が排出され、髪の内部にトリートメント液が浸透されやすくすることができる。つまり、トリートメント液は髪の内部に許容量だけ浸透させることができる。
【発明を実施するための最良の形態】
【００４５】
本発明においては、髪に対するトリートメントにおいて、トリートメント液を十分髪の内部に浸透させるという目的を以下のようにして実現した。
【実施例１】
【００４６】
本発明の実施例１に基づくトリートメント装置（トリートメント用櫛装置、櫛装置、コーミング装置としてもよい。他においても同じ）Ａ１は、図１〜図４に示すように構成され、装置本体部５と、櫛部４０とを有している。
【００４７】
ここで、装置本体部（本体部）５は、櫛部４０に対して往復動を出力するための装置であり、ケース部１０と、動作機構部１２とを有している。
【００４８】
ケース部１０は、細長状のケース状を呈し、内部に動作機構部１２を収納するための収納空間を有し、後端部１０ａと側面部１０ｂと先端部１０ｃとを有している。後端部１０ａは、円形の平面状を呈している。また、側面部１０ｂは筒状を呈し、その外周面は後端側から先端側の途中までは円筒状に形成され、先端側はテーパ状に形成されている。また、先端部１０ｃは、円形の板状を呈し、先端部１０ｃの先端側の面は平面状を呈している。この先端部１０ｃには、軸部２６が挿通するための開口部１０ｅが形成されている。この開口部１０ｅは、略円形に形成されている。また、先端部１０ｃの後端側には、軸部２６の本体部２６ａをガイドするためのガイド部１０ｄが設けられていて、このガイド部１０ｄは、円柱状の挿通穴を有する筒状（具体的には、円筒状）を呈している。このガイド部１０ｄの挿通穴の内周面は、櫛部４０の軸線方向（Ｘ１−Ｘ２方向）と同一方向に形成されている。
【００４９】
また、動作機構部１２は、電源部１４と、モータ（駆動部）１６と、歯車１８と、ギア２０と、カム部２２と、ロッド２４と、軸部２６とを有している。
【００５０】
ここで、電源部１４は、モータ１６に電源を供給するためのものであり、例えば、蓄電池や充電池等により構成される。また、モータ１６は、回転力を出力するものである。モータ１６の回転数は、櫛部４０の往復動の回数が１０００〜５０００回／秒となるような回転数となっている。このモータ１６の出力軸には、歯車１８が設けられている。
【００５１】
また、ギア２０は、円形板状の本体部２０ａと、該本体部２０ａの周端部に本体部２０ａの面に直角な方向に形成された歯部２０ｂとを有し、本体部２０ａの中心には、回転軸部２０ａ−１が本体部２０ａに固定して設けられている。この回転軸部２０ａ−１は、櫛部４０の軸線方向（Ｘ１−Ｘ２方向）に直角の方向に設けられ、ケース部１０に対して回転自在に設けられている。該歯部２０ｂは、歯車１８と歯合している。
【００５２】
また、カム部２２は、円柱状を呈し、その軸線が回転軸部２０ａ−１の軸線と平行に設けられている。このカム部２２は、一方の端面が本体部２０ａに固定され、その軸線が回転軸部２０ａ−１（厳密には、回転軸部２０ａ−１の軸線）とずれた位置に固定されている。つまり、カム部２２は、ギア２０に対してその回転軸とは偏心した位置に設けられている。なお、カム部２２には、カム部２２の中心軸とは偏心した位置に挿通穴が設けられ、該回転軸部２０ａ−１は、この挿通穴に挿通されて、カム部２２は、回転軸部２０ａ−１に固定されている。つまり、歯車１８が回転すると、これにより、ギア２０が回転し、カム部２２が回転軸部２０ａ−１を中心に回転するようになっている。
【００５３】
また、ロッド２４は、カム部２２と軸部２６間に設けられ、棒状部２４ａと、棒状部２４ａの端部に設けられた環状部２４ｂとを有している。そして、棒状部２４ａにおける、環状部２４ｂが設けられている側とは反対側の端部が、カム部２２の側面（Ｙ１側の側面）にカム部２２に対して回転自在に設けられている。具体的には、棒状部２４ａの端部には挿通穴が設けられて、該挿通穴にピン部２５が挿通され、該ピン部２５は、カム部２２に固定されている。なお、このピン部２５は、カム部２２の回転中心（つまり、回転軸部２０ａ−１）に対してずれた位置に設けられ、具体的には、回転軸部２０ａ−１とは反対側の位置に設けられている。また、環状部２４ｂは、軸部２６における環状部２６ｂと連結されている。上記のカム部２２とロッド２４とでクランク機構を構成しているといえる。
【００５４】
また、軸部２６は、軸部本体部２６ａと、軸部本体部２６ａの後端に設けられた環状部２６ｂと、軸部本体部２６ａの先端に設けられた先端部２６ｃとを有している。
【００５５】
ここで、軸部本体部２６ａは、棒状の円柱状を呈している。軸部本体部２６ａは、往復動可能にガイド部１０ｄ内に設けられている。また、環状部２６ｂは、軸部本体部２６ａの後端に設けられ、ロッド２４における環状部２４ｂと連結している。また、先端部２６ｃは、図３、図４に示すように、扁平状（具体的には、扁平板状）に形成されていて、櫛部４０の基端部４２に設けられた接続穴４２ａに確実に接続できるようになっている。また、この装置本体部５には、モータ１６の動作をオンオフするためのスイッチ（図示せず）が設けられている。なお、モータ１６と、歯車１８と、ギア２０と、カム部２２と、ロッド２４とで上記往復運動出力部を構成している。
【００５６】
また、櫛部４０は、櫛形状を呈し、基端部４２と、櫛本体部４４とを有している。この基端部４２は、櫛本体部４４を支持する支持部材であり、後端側にいくほど大径となるラッパ状を呈していて、その後端側には、軸部２６と接続するための接続穴４２ａが設けられている。また、基端部４２は、その先端に棒状の接続部４２ｂを有している。
【００５７】
また、櫛本体部４４は、接続部４２ｂに接続され、櫛状を呈し、フレーム部４６と、櫛歯部４８とを有している。このフレーム部４６は、櫛部４０の軸線方向（Ｘ１−Ｘ２方向）に設けられた横方向部（櫛歯部を支持する本体部）４６ａと、横方向部４６ａの後端側から下方向（Ｚ１−Ｚ２方向）に設けられた縦方向部４６ｂと、横方向部４６ａの先端側から下方向に設けられた縦方向部４６ｃとを有している。また、櫛歯部４８は、棒状を呈し、フレーム部４６の横方向部４６ａの下面から下方向（Ｚ１−Ｚ２方向）に向かって設けられている。この櫛歯部４８は、横方向部４６ａの軸線方向（長手方向）に沿って複数設けられている。
【００５８】
この櫛歯部４８の形状は、通常の櫛における櫛歯部と同様の形状であり、隣接する櫛歯部間の距離、つまり、ある櫛歯部の軸線と隣接する櫛歯部の軸線間の距離Ｇ（図１参照）は、１．５ｍｍ〜２．５ｍｍ程度となっている。つまり、複数の櫛歯部４８は、距離Ｇ間隔で設けられている。また、隣接する櫛歯部４８間の隙間は１．０ｍｍ〜１．５ｍｍとなっている。櫛歯部４８のこれらの構成は、実施例２や実施例３においても同様である。
【００５９】
なお、この櫛部４０は、装置本体部５に着脱自在となっている。つまり、装置本体部５の軸部２６を櫛部４０の接続穴４２ａに挿入することにより、櫛部４０が装置本体部５に接続され、櫛部４０が装置本体部５に接続された状態から櫛部４０を軸線方向に抜き操作することにより、櫛部４０を装置本体部５から外すことができる。
【００６０】
上記構成のトリートメント装置Ａ１の動作について説明する。まず、トリートメント装置Ａ１に設けられたスイッチを操作すると、モータ１６が回転し、歯車１８が回転する。すると、歯車１８に歯合したギア２０が回転し、これにより、カム部２２が回転する。このカム部２２が回転することにより、ロッド２４の環状部２４ｂがトリートメント装置Ａ１の軸線方向（Ｘ１−Ｘ２方向）に往復動し、これにより、軸部２６が往復動し、軸部２６が往復動することにより、軸部２６に接続された櫛部４０が往復動する。なお、ガイド部１０ｄが設けられているので、軸部２６は、上下動することなく往復動し、櫛部４０も上下動することなく往復動する。この櫛部４０の往復動の回数は、１０００〜５０００回／秒である。また、櫛部４０の往復動の振幅は、２．０ｍｍ〜８．０ｍｍ（好ましくは、４．０ｍｍ（３．５ｍｍ〜４．５ｍｍとしてもよい））とするのが好ましい。つまり、例えば、櫛歯部４８のＸ１−Ｘ２方向における中心位置が、往復動において櫛部４０が後端位置にある場合と櫛部４０が先端位置にある場合と間の距離が２．０ｍｍ〜８．０ｍｍ（好ましくは、４．０ｍｍ）とするのが好ましい。
【００６１】
なお、トリートメント装置Ａ１の軸線方向と、軸部２６の軸線方向と、櫛部４０の軸線方向（長手方向）は同じ方向であり、ともにＸ１−Ｘ２方向である。
【００６２】
次に、トリートメント装置Ａ１の使用状態について説明する。まず、被施術者の髪に対して、髪を覆っている毛表皮（キューティクル）を開かせる。これは、髪をシャンプーする等して濡らしたり、スチーマーを使用したり、髪を濡らして加温する等して行なう。なお、この状態では、髪の内部には水分が十分膨潤していて飽和状態となっている。
【００６３】
その後、トリートメント装置Ａ１を使用しながらトリートメントを行う。つまり、トリートメント液を髪に付着させ、トリートメント装置Ａ１を使用しながらトリートメント液を髪になじませる。つまり、トリートメント装置Ａ１の櫛部４０で髪をときながらトリートメント液をなじませていく。実際には、髪を小分けにして、トリートメント液をなじませる作業を繰り返す。
【００６４】
すると、櫛部４０が往復動することにより、髪に適度な圧力が付与され、これにより、髪の内部に飽和状態となっていた水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。
【００６５】
つまり、従来においては、被施術者の髪に対して、髪を覆っている毛表皮（キューティクル）を開かせた状態（この状態では、髪の内部には水分が十分膨潤していて飽和状態となっている）で、単に、トリートメント液をなじませるのみであるので、水分が飽和状態となっている髪の内部にトリートメント液を浸透させることが困難であり、また、仮に、髪を乾燥させて水分を髪の内部から排出させた状態とすると、毛表皮は閉じた状態となってしまうので、この場合もトリートメント液を髪の内部に浸透させることはできないが、本実施例のトリートメント装置Ａ１を使用すると、上記のように十分トリートメント液を髪の内部に浸透させることができる。
【実施例２】
【００６６】
次に、本発明の実施例２に基づくトリートメント装置Ａ２は、上記実施例１のトリートメント装置Ａ１と同様に、櫛部４０が往復動するものであるが、トリートメント装置Ａ１とは異なり、櫛部４０が上下動しながら往復動する構成となっている。
【００６７】
すなわち、トリートメント装置Ａ２は、図１、図３、図５、図６に示すように構成され、装置本体部（本体部）１０５と、櫛部４０とを有している。
【００６８】
ここで、装置本体部１０５は、櫛部４０に対して往復動を出力するための装置であり、ケース部１１０と、動作機構部１１２とを有している。
【００６９】
ケース部１１０は、細長状のケース状を呈し、内部に動作機構部１１２を収納するための収納空間を有し、その外形形状は、実施例１のケース部１０と同様となっている。このケース部１１０は、後端部１１０ａと側面部１１０ｂと先端部１１０ｃとを有している。後端部１１０ａは、円形の平面状を呈している。また、側面部１１０ｂは筒状を呈し、その外周面は後端側から先端側の途中までは円筒状に形成され、先端側はテーパ状に形成されている。また、先端部１１０ｃは、円形の板状を呈している。この先端部１１０ｃには、上記実施例１と同様に、軸部１２６が挿通するための開口部が形成されているが、後述するように、軸部１２６は単に往復動するのではなく、往復動しながら上下動するので、開口部は円形状ではなく、長穴状に形成されている。また、側面部１１０ｂの先端側の内面部には、ステー１３６ａを支持するための支持部１１０ｄと、ステー１３６ｂを支持するための支持部１１０ｅが設けられている。この支持部１１０ｄと支持部１１０ｅには、ステーを取り付けるための貫通穴が軸線方向に直角な方向（Ｙ１−Ｙ２方向）に形成されている。つまり、支持部１１０ｄには貫通穴１１０ｄ−１が設けられ、支持部１１０ｅには貫通穴１１０ｅ−１が設けられている。また、支持部１１０ｄと支持部１１０ｅは、軸線方向（Ｘ１−Ｘ２方向）に設けられている。なお、先端部１１０ｃの後端側には実施例１におけるようなガイド部は設けられていない。
【００７０】
また、動作機構部１１２は、電源部１１４と、モータ（駆動部）１１６と、歯車１１８と、ギア１２０と、カム部１２２と、ロッド１２４と、軸部１２６と、揺動部１３０とを有している。
【００７１】
ここで、電源部１１４とモータ１１６と歯車１１８とギア１２０とカム部１２２とロッド１２４の構成は、上記実施例１における場合と同様の構成である。
【００７２】
すなわち、電源部１１４は、モータ１１６に電源を供給するためのものである。また、モータ１１６は、回転力を出力するものである。モータ１１６の回転数は、櫛部４０の往復動の回数が１０００〜５０００回／秒となるような回転数となっている。このモータ１１６の出力軸には、歯車１１８が設けられている。
【００７３】
また、ギア１２０は、円形板状の本体部１２０ａと、該本体部１２０ａの周端部に本体部１２０ａの面に直角な方向に形成された歯部１２０ｂとを有し、本体部１２０ａの中心には、回転軸部１２０ａ−１が本体部１２０ａに固定して設けられている。この回転軸部１２０ａ−１は、櫛部４０の軸線方向（Ｘ１−Ｘ２方向）に直角の方向に設けられ、ケース部１１０に対して回転自在に設けられている。該歯部１２０ｂは、歯車１１８と歯合している。
【００７４】
また、カム部１２２は、円柱状を呈し、その軸線が回転軸部１２０ａ−１の軸線と平行に設けられている。このカム部１２２は、一方の端面が本体部１２０ａに固定され、その軸線が回転軸部１２０ａ−１（厳密には、回転軸部１２０ａ−１の軸線）とずれた位置に固定されている。つまり、カム部１２２は、ギア１２０に対してその回転軸とは偏心した位置に設けられている。なお、カム部１２２には、カム部１２２の中心軸とは偏心した位置に挿通穴が設けられ、該回転軸部１２０ａ−１は、この挿通穴に挿通されて、カム部１２２は、回転軸部１２０ａ−１に固定されている。つまり、歯車１１８が回転すると、これにより、ギア１２０が回転し、カム部１２２が回転軸部１２０ａ−１を中心に回転するようになっている。
【００７５】
また、ロッド１２４は、カム部１２２と軸部１２６間に設けられ、棒状部１２４ａと、棒状部１２４ａの端部に設けられた環状部１２４ｂとを有している。そして、棒状部１２４ａにおける、環状部１２４ｂが設けられている側とは反対側の端部が、カム部１２２の側面（Ｙ１側の側面）にカム部１２２に対して回転自在に設けられている。具体的には、棒状部１２４ａの端部には挿通穴が設けられて、該挿通穴にピン部１２５が挿通され、該ピン部１２５は、カム部１２２に固定されている。なお、このピン部１２５は、カム部１２２の回転中心（つまり、回転軸部１２０ａ−１）に対してずれた位置に設けられ、具体的には、回転軸部１２０ａ−１とは反対側の位置に設けられている。また、環状部１２４ｂは、軸部１２６における環状部１２６ｂと連結されている。上記のカム部１２２とロッド１２４とでクランク機構を構成しているといえる。
【００７６】
また、軸部１２６は、軸部本体部１２６ａと、軸部本体部１２６ａの後端に設けられた環状部１２６ｂと、軸部本体部１２６ａの先端に設けられた先端部１２６ｃとを有している。
【００７７】
ここで、軸部本体部１２６ａは、棒状の円柱状を呈するとともに、その途中位置に所定の間隔を介して環状部１２７ａ、１２７ｂを有した形状を呈している。つまり、軸部本体部１２６ａは、棒状の円柱状を呈するが、所定の間隔を介して環状部１２７ａと環状部１２７ｂが固定して設けられている。この環状部１２７ａと環状部１２７ｂは、筒状部１３２の抜けを防止するためのものである。環状部１２７ａと環状部１２７ｂの間隔は、筒状部１３２を環状部１２７ａと環状部１２７ｂ間に配置できる程度の間隔であり、環状部１２７ａと環状部１２７ｂの間隔は、筒状部１３２の長さよりも若干長く形成されている。なお、環状部１２７ａと環状部１２７ｂの間隔を筒状部１３２の長さと同じにして、環状部１２７ａと環状部１２７ｂ間にぴったり嵌るようにしてもよい。
【００７８】
また、環状部１２６ｂは、軸部本体部１２６ａの後端に設けられ、ロッド１２４における環状部１２４ｂと連結している。
【００７９】
また、先端部１２６ｃは、図３に示すように、扁平状（具体的には、扁平板状）に形成されていて、櫛部４０の基端部４２に設けられた接続穴４２ａに確実に接続できるようになっている。また、この装置本体部１０５には、モータ１１６の動作をオンオフするためのスイッチ（図示せず）が設けられている。なお、モータ１１６と、歯車１１８と、ギア１２０と、カム部１２２と、ロッド１２４とで上記往復運動出力部を構成している。
【００８０】
また、揺動部１３０は、図５、図６等に示すように、筒状部１３２と、突状部１３４ａ、１３４ｂと、ステー１３６ａ、１３６ｂとを有している。
【００８１】
この筒状部１３２は、円筒状を呈し、軸部１２６が貫通しており、環状部１２７ａと環状部１２７ｂ間に設けられている。筒状部１３２の内径は、環状部１２７ａ、１２７ｂの外径よりも大きく、これにより、筒状部１３２は、環状部１２７ａと環状部１２７ｂ間は移動するが、環状部１２７ａや環状部１２７ｂに規制されて移動できないように構成されている。また、突状部１３４ａと突状部１３４ｂは、筒状部１３２の下端に取り付けられ、ステーが回動可能に取り付けられている。つまり、突状部１３４ａには、軸線方向の直角な方向（Ｙ１−Ｙ２方向）に貫通穴１３４ａ−１が形成され、この貫通穴１３４ａ−１に一対のステー１３６ａが取り付け可能に形成されている。また、同様に、突状部１３４ｂには、軸線方向の直角な方向（Ｙ１−Ｙ２方向）に貫通穴１３４ｂ−１が形成され、この貫通穴１３４ｂ−１に一対のステー１３６ｂが取り付け可能に形成されている。
【００８２】
また、ステー１３６ａは、略コ字状の棒状部材であり、支持部１１０ｄと突状部１３４ａ間に設けられ、ステー１３６ａの上端が突状部１３４ａの貫通穴に回動自在に設けられ、ステー１３６ａの下端が支持部１１０ｄの貫通穴に回動自在に設けられている。このステー１３６ａは、支持部１１０ｄと突状部１３４ａ間の両側、すなわち、Ｙ１側とＹ２側に一対設けられている。また、ステー１３６ｂは、略コ字状の棒状部材であり、支持部１１０ｅと突状部１３４ｂ間に設けられ、ステー１３６ｂの上端が突状部１３４ｂの貫通穴に回動自在に設けられ、ステー１３６ｂの下端が支持部１１０ｅの貫通穴に回動自在に設けられている。このステー１３６ｂは、支持部１１０ｅと突状部１３４ｂ間の両側、すなわち、Ｙ１側とＹ２側に一対設けられている。
【００８３】
なお、ステー１３６ａの長さとステー１３６ｂの長さは同じに形成されており（これにより、貫通穴１１０ｄ−１と貫通穴１３４ａ−１間の距離α１と、貫通穴１１０ｅ−１と貫通穴１３４ｂ−１間の距離α２は、同じに形成されている）、貫通穴１１０ｄ−１と貫通穴１１０ｅ−１間の距離と、貫通穴１３４ａ−１と貫通穴１３４ｂ−１間の距離とは同じに形成されている。
【００８４】
揺動部１３０は上記のように構成されていることによって、筒状部１３２は、軸線方向に平行な方向を維持しながら揺動可能に形成されている。なお、距離α１と距離α２は一定の状態で揺動するので、筒状部１３２は、揺動に際して若干上下動することになる。
【００８５】
なお、ステー１３６ａとステー１３６ｂの軸線方向に対する角度は、軸部１２６が最も後端側にある際（つまり、後端位置にある場合）に、図７のＷ１に示すように、直角となっている。なお、ステー１３６ａ、１３６ｂは、軸線方向に対して先端側に傾斜した状態としてもよい。このように構成することにより、図９の第１例に示すように、櫛部４０の往復動に際して、櫛部４０が最も後端側にある状態から先端側に移動するに従い、櫛部４０が軸線方向を保ったまま櫛部４０が下側（Ｚ１方向）に降下し、また、櫛部４０が最も先端側にある状態（つまり、先端位置にある状態）から後端側に移動するに従い、櫛部４０が軸線方向を保ったまま櫛部４０が上側（Ｚ２方向）に上昇することになる。以上のようにして、側面視した場合に、貫通穴１１０ｄ−１と貫通穴１１０ｅ−１と貫通穴１３４ａ−１と貫通穴１３４ｂ−１の各貫通穴を１つの点とみなした場合に、筒状部１３２が揺動するに際して、４つの点は、常に平行四辺形を形成していることになる。これにより、筒状部１３２の軸線は常に同じ方向（軸線方向）を向いているが、筒状部１３２自体は揺動に伴い上下動することになる。つまり、所定の間隔を介して軸線方向に設けられた２つの回動中心軸を中心に回動する２つの回動部材（ステー１３６ａ、１３６ｂ）が設けられているといえる。
【００８６】
また、櫛部４０は、上記実施例１の櫛部４０と同じ構成である。すなわち、櫛部４０は、基端部４２と、櫛本体部４４とを有している。この基端部４２は、櫛本体部４４を支持する支持部材であり、後端側にいくほど大径となるラッパ状を呈していて、その後端側には、軸部１２６と接続するための接続穴４２ａが設けられている。また、基端部４２は、その先端に棒状の接続部４２ｂを有している。
【００８７】
また、櫛本体部４４は、接続部４２ｂに接続され、フレーム部４６と、櫛歯部４８とを有している。このフレーム部４６は、櫛部４０の軸線方向（Ｘ１−Ｘ２方向）に設けられた横方向部４６ａと、横方向部４６ａの後端側から下方向（Ｚ１−Ｚ２方向）に設けられた縦方向部４６ｂと、横方向部４６ａの先端側から下方向に設けられた縦方向部４６ｃとを有している。また、櫛歯部４８は、棒状を呈し、フレーム部４６の横方向部４６ａの下面から下方向（Ｚ１−Ｚ２方向）に向かって設けられている。この櫛歯部４８は、横方向部４６ａの軸線方向（長手方向）に沿って複数設けられている。
【００８８】
なお、この櫛部４０は、装置本体部１０５に着脱自在となっている。つまり、装置本体部１０５の軸部１２６を櫛部４０の接続穴４２ａに挿入することにより、櫛部４０が装置本体部１０５に接続され、櫛部４０が装置本体部１０５に接続された状態から櫛部４０を軸線方向に抜き操作することにより、櫛部４０を装置本体部１０５から外すことができる。
【００８９】
上記構成のトリートメント装置Ａ２の動作について説明する。まず、トリートメント装置Ａ２に設けられたスイッチを操作すると、モータ１１６が回転し、歯車１１８が回転する。すると、歯車１１８に歯合したギア１２０が回転し、これにより、カム部１２２が回転する。このカム部１２２が回転することにより、ロッド１２４の環状部１２４ｂがトリートメント装置Ａ２の軸線方向（Ｘ１−Ｘ２方向）に往復動する。
【００９０】
ロッド１２４の環状部１２４ｂが往復動することにより、軸部１２６が往復動し、軸部１２６が往復動することにより、軸部１２６に接続された櫛部４０が往復動する。
【００９１】
櫛部４０の往復動に際して、上記のように、櫛部４０が最も後端側にある状態（つまり、後端位置にある状態）から先端側に移動するに従い、櫛部４０が所定の方向（軸線方向）を保ったまま櫛部４０が下側（Ｚ１方向）に降下する。つまり、図７におけるＷ１からＷ２を経てＷ３の順に示すように、軸部１２６が所定の方向を保ったまま先端側に移動するとともに下側に降下していくので、櫛部４０も、所定の方向を保ったまま先端側に移動するとともに、下側に降下していく。
【００９２】
また、櫛部４０が最も先端側にある状態（つまり、先端位置にある状態）から後端側に移動するに従い、櫛部４０が軸線方向を保ったまま櫛部４０が上側（Ｚ２方向）に上昇する。つまり、図７におけるＷ３からＷ４を経てＷ１の順に示すように、軸部１２６が所定の方向を保ったまま後端側に移動するとともに上側に上昇していくので、櫛部４０も、所定の方向を保ったまま後端側に移動するとともに、上側に上昇していく。
【００９３】
つまり、櫛部４０の往復動に際しては、図８に示すように、櫛部４０は、最も後端側の位置で４４−Ａに示す位置となり、最も先端側の位置では４４−Ｂに示す位置となって、櫛部４０は、所定の方向を保ちながら上下動をすることになる。つまり、櫛部４０の往復動における移動経路が、少なくとも該櫛部の該長手方向に直角な成分と該櫛部の長手方向の成分とを有する方向の経路を有するといえる。また、櫛部４０を櫛部４０の長手方向に向けた状態で所定の回動中心軸を中心に回動させながら往復動させているともいえる。この櫛部４０の往復動の回数は、１０００〜５０００回／秒である。また、櫛部４０の往復動の振幅（軸線方向の振幅）は、２．０ｍｍ〜８．０ｍｍ（好ましくは、４．０ｍｍ（３．５ｍｍ〜４．５ｍｍとしてもよい））とするのが好ましい。
【００９４】
なお、図７に示す動きは、ギア１２０がＹ１側から見て左回転する場合の例であり、ギア１２０がＹ１側から見て右回転する場合には、図７の動きは、逆の動きとなる。つまり、Ｗ４→Ｗ３→Ｗ２→Ｗ１の順の動きとなる。ただし、その場合でも、図８に示す動きは同様であり、最も後端側の位置で４４−Ａに示す位置となり、最も先端側の位置では４４−Ｂに示す位置となって、櫛部４０は、所定の方向を保ちながら上下動をすることになる。
【００９５】
なお、トリートメント装置Ａ２の軸線方向と、軸部１２６の軸線方向と、櫛部４０の軸線方向（長手方向）は同じ方向であり、ともにＸ１−Ｘ２方向である。
【００９６】
次に、トリートメント装置Ａ２の使用状態について説明する。まず、被施術者の髪に対して、髪を覆っている毛表皮（キューティクル）を開かせる。これは、髪をシャンプーする等して濡らしたり、スチーマーを使用したり、髪を濡らして加温する等して行なう。なお、この状態では、髪の内部には水分が十分膨潤していて飽和状態となっている。
【００９７】
その後、トリートメント装置Ａ２を使用しながらトリートメントを行う。つまり、トリートメント液を髪に付着させ、トリートメント装置Ａ２を使用しながらトリートメント液を髪になじませる。つまり、トリートメント装置Ａ２の櫛部４０で髪をときながらトリートメント液をなじませていく。実際には、髪を小分けにして、トリートメント液をなじませる作業を繰り返す。
【００９８】
すると、櫛部４０が往復動することにより、髪に適度な圧力が付与され、これにより、髪の内部に飽和状態となっていた水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。
【００９９】
また、本実施例のトリートメント装置Ａ２においては、櫛部４０が往復動する際に上下動するので、櫛部４０から髪に対して付与される力が櫛部４０の軸線方向のみとはならず、該軸線方向に直角な方向の成分を持つ力も髪に付与されるので、髪に対して十分圧力を掛けることができ、髪の内部に飽和状態となっている水分を十分排出することができる。つまり、櫛歯部４８自体が上下動しながら往復動することにより髪に圧力が掛かるだけでなく、フレーム部４６の横方向部４６ａの櫛歯部４８側の面が髪に当たることから、軸線方向に直角な方向にも髪に圧力を掛けることができ、水分の排出のためにより十分な圧力を掛けることができる。
【０１００】
なお、上記の例では、図９の第１例に示すように、櫛部４０は、先端側に移動するとともに下方に降下し、後端側に移動することにより上方に上昇するものとしたが、図７のＷ１のように軸部１２６が最も後端側にある際に、ステー１３６ａ、１３６ｂが図７における右側に傾斜した状態とし、図７のＷ３のように軸部１２６が最も先端側にある際に、ステー１３６ａ、１３６ｂが軸線に対して直角となるようにすれば、櫛部４０の動きは、図９の第２例に示すように、先端側に移動するとともに上方に上昇し、後端側に移動することにより下方に降下する。このような動きの場合でも、櫛部４０が後端側に移動する際に櫛部４０が降下するので、髪に対して、軸線方向に直角な方向にも圧力を付与することができる。
【０１０１】
また、図７のＷ１のように軸部１２６が最も後端側にある際に、ステー１３６ａ、１３６ｂが図７における右側に傾斜した状態とし、図７のＷ３のように軸部１２６が最も先端側にある際に、ステー１３６ａ、１３６ｂが左側に傾斜した状態となるようにしてもよい。このようにすれば、櫛部４０の動きは、図９の第３例に示すように、先端側に移動する際にも後端側に移動する際にも、櫛部４０は途中まで上昇し、途中から降下することになる。
【実施例３】
【０１０２】
次に、本発明の実施例３に基づくトリートメント装置Ａ３は、上記実施例２のトリートメント装置Ａ２と同様に、櫛部４０が上下動しながら往復動するものであるが、往復動の機構がトリートメント装置Ａ２とは異なる。
【０１０３】
すなわち、トリートメント装置Ａ３は、図１、図３、図１０に示すように構成され、装置本体部（本体部）２０５と、櫛部４０とを有している。
【０１０４】
ここで、装置本体部２０５は、櫛部４０に対して往復動を出力するための装置であり、ケース部２１０と、動作機構部２１２とを有している。
【０１０５】
ケース部２１０は、細長状のケース状を呈し、内部に動作機構部２１２を収納するための収納空間を有し、その外形形状は、実施例１のケース部１０と同様となっている。このケース部２１０は、後端部２１０ａと側面部２１０ｂと先端部２１０ｃとを有している。後端部２１０ａは、円形の平面状を呈している。また、側面部２１０ｂは筒状を呈し、その外周面は後端側から先端側の途中までは円筒状に形成され、先端側はテーパ状に形成されている。また、先端部２１０ｃは、円形の板状を呈している。この先端部２１０ｃには、上記実施例１や実施例２と同様に、軸部２５６が挿通するための開口部２１０ｅが形成されているが、後述するように、軸部２５６は単に往復動するのではなく、往復動しながら上下動するので、開口部２１０ｅは、図１０に示すように、円形状ではなく、長穴状に形成されている。なお、先端部２１０ｃの後端側には実施例１におけるようなガイド部は設けられていない。
【０１０６】
また、動作機構部２１２は、電源部２１４と、モータ（駆動部）２１６と、歯車２１８と、ギア（第１ギア）２２０と、カム部（第１カム部）２２１と、ギア（第２ギア）２３０と、ギア（第３ギア）２４０と、カム部（第２カム部）２４１と、円筒状部２５０と、軸部２５２と、円筒状部２５４と、軸部２５６とを有している。
【０１０７】
ここで、電源部２１４とモータ２１６と歯車２１８の構成は、上記実施例１や実施例２における場合と同様の構成である。
【０１０８】
すなわち、電源部２１４は、モータ２１６に電源を供給するためのものである。また、モータ２１６は、回転力を出力するものである。モータ２１６の回転数は、櫛部４０の往復動の回数が１０００〜５０００回／秒となるような回転数となっている。このモータ２１６の出力軸には、歯車２１８が設けられている。
【０１０９】
また、ギア２２０は、円形板状の本体部２２０ａと、該本体部２２０ａの周端部に本体部２２０ａの面に直角な方向に形成された歯部２２０ｂと、該本体部２２０ａの周端部に外周方向に形成された歯部２２０ｃとを有し、本体部２２０ａの中心には、回転軸部２２０ａ−１が本体部２２０ａに固定して設けられている。この回転軸部２２０ａ−１は、櫛部４０の軸線方向（Ｘ１−Ｘ２方向）に直角の方向に設けられ、ケース部２１０に対して回転自在に設けられている。該歯部２２０ｂは、歯車２１８と歯合している。
【０１１０】
また、カム部２２１は、カム部本体２２２と、板状部２２４とを有している。このカム部本体２２２は、円柱状を呈し、その軸線が回転軸部２２０ａ−１の軸線と平行に設けられている。このカム部本体２２２は、一方の端面が本体部２２０ａに固定され、その軸線が回転軸部２２０ａ−１（厳密には、回転軸部２２０ａ−１の軸線）とずれた位置に固定されている。つまり、カム部本体２２２は、ギア２２０に対してその回転軸とは偏心した位置に設けられている。なお、カム部本体２２２には、カム部本体２２２の中心軸とは偏心した位置に挿通穴が設けられ、該回転軸部２２０ａ−１は、この挿通穴に挿通されて、カム部本体２２２は、回転軸部２２０ａ−１に固定されている。また、板状部２２４は、円形状の板状に形成され、カム部本体２２２よりも大径に形成され、円筒状部２５０の外径と略同様に形成されている。この板状部２２４は、円筒状部２５０がカム部２２１から脱落するのを防止するために設けられている。このカム部２２１は全体に一体に形成されている。
【０１１１】
また、ギア２３０は平歯車であり、円形板状の部材の周端部に外周方向に歯部２３０ａが形成されている。また、ギア２３０の軸線位置には、回転軸部２３２がギア２３０に固定して設けられ、この回転軸部２３２は、ケース部２１０に対して回転自在に設けられている。この回転軸部２３２は、櫛部４０の軸線方向（Ｘ１−Ｘ２方向）に直角の方向に設けられていて、回転軸部２２０ａ−１とは平行に設けられている。ギア２３０の歯部とギア２２０の歯部２２０ｃとは歯合している。このギア２３０は、ギア２４０の回転方向を調製するために設けられている。つまり、ギア２２０とギア２４０とが同方向に回転するように設けられている。
【０１１２】
また、ギア２４０は、ギア２３０と同様に平歯車であり、円形板状の部材の周端部に外周方向に歯部２４０ａが形成されている。その軸線位置には、回転軸部２４０−１がギア２４０に固定して設けられ、この回転軸部２４０−１は、ケース部２１０に対して回転自在に設けられている。この回転軸部２４０−１は、櫛部４０の軸線方向（Ｘ１−Ｘ２方向）に直角の方向に設けられていて、回転軸部２２０ａ−１や回転軸部２３２とは平行に設けられている。ギア２４０の歯部２４０ａとギア２３０の歯部２３０ａとは歯合している。なお、ギア２４０における歯部２４０ａの数とギア２２０における歯部２２０ｃの数は同じに構成され、これにより、ギア２２０とギア２４０の回転速度が同じになるように構成されている。
【０１１３】
また、カム部２４１は、カム部本体２４２と、板状部２４４とを有している。このカム部本体２４２は、円柱状を呈し、その軸線が回転軸部２４０−１の軸線と平行に設けられている。このカム部本体２４２は、一方の端面がギア２４０に固定され、その軸線が回転軸部２４０−１（厳密には、回転軸部２４０−１の軸線）とずれた位置に固定されている。つまり、カム部本体２４２は、ギア２４０に対してその回転軸とは偏心した位置に設けられている。なお、カム部本体２４２には、カム部本体２４２の中心軸とは偏心した位置に挿通穴が設けられ、該回転軸部２４０−１は、この挿通穴に挿通されて、カム部本体２４２は、回転軸部２４０−１に固定されている。また、板状部２４４は、円形状の板状に形成され、カム部本体２４２よりも大径に形成され、円筒状部２５４の外径と略同様に形成されている。この板状部２４４は、円筒状部２５４がカム部２４１から脱落するのを防止するために設けられている。このカム部２４１は全体に一体に形成されている。
【０１１４】
なお、このカム部２４１はカム部２２１と同じ構成であり、同大同形状に形成されている。特に、カム部本体２４２の径とカム部本体２２２の径とは同じに形成され、カム部本体２４２の偏心方向とカム部本体２２２の偏心方向とは同じ方向に形成されている。これにより、ギア２２０とギア２４０とが回転することにより、カム部２２１とカム部２４１とは同期して回転するように構成されている。
【０１１５】
また、円筒状部２５０は、円筒状に形成され、カム部２２１におけるカム部本体２２２の周囲に設けられている。つまり、カム部本体２２２が円筒状部２５０の内部に配置されている。円筒状部２５０の軸線は、カム部本体２２２の軸線と一致している。円筒状部２５０の内径は、カム部本体２２２が回転可能な大きさに形成され、カム部本体２２２が円滑に回転するように、カム部本体２２２の外径よりも若干大きく形成されている。なお、この円筒状部２５０は、ギア２２０やカム部２２１には固定されておらず、円筒状部２５０は、カム部２２１の回転に伴って、上下動しながら往復動する。
【０１１６】
また、軸部２５２、棒状に形成され、その後端は、円筒状部２５０の外周面に固定されている。具体的には、軸部２５２の軸線が円筒状部２５０の軸線と直角に交差するように、軸部２５２の後端が円筒状部２５０に固定されている。
【０１１７】
また、円筒状部２５４は、円筒状に形成され、カム部２４１におけるカム部本体２４２の周囲に設けられている。つまり、カム部本体２４２が円筒状部２５４の内部に配置されている。円筒状部２５４の軸線は、カム部本体２４２の軸線と一致している。円筒状部２５４の内径は、カム部本体２４２が回転可能な大きさに形成され、カム部本体２４２が円滑に回転するように、カム部本体２４２の外径よりも若干大きく形成されている。この円筒状部２５４は、円筒状部２５０と同じ構成であり、特に、円筒状部２５４の内径と円筒状部２５０の内径は同じに構成されている。なお、この円筒状部２５４は、ギア２４０やカム部２４１には固定されておらず、円筒状部２５４は、カム部２４１の回転に伴って、上下動しながら往復動する。また、この円筒状部２５４の外周には、軸部２５２の先端が固定されている。具体的には、軸部２５２の軸線が円筒状部２５４の軸線と直角に交差するように、軸部２５２の先端が円筒状部２５４に固定されている。
【０１１８】
また、軸部２５６は、棒状に形成され、その後端は、円筒状部２５４の外周面に固定されている。具体的には、軸部２５６は、軸部２５２の反対側に固定され、軸部２５６の軸線が円筒状部２５４の軸線と直角に交差するように、固定されている。また、軸部２５６と軸部２５２とは、直線上になるように設けられている。つまり、軸部２５２の軸線と軸部２５６の軸線とが一致するように構成されている。
【０１１９】
また、軸部２５６の先端部２５６ａは、図３に示すように、扁平状（具体的には、扁平板状）に形成されていて、櫛部４０の基端部４２に設けられた接続穴４２ａに確実に接続できるようになっている。円筒状部２５０と軸部２５２と円筒状部２５４と軸部２５６とは、全体に一体に構成され、全体として一体に動くことになる。円筒状部２５０と軸部２５２と円筒状部２５４と軸部２５６とから構成される部材が上記ロッド状部を構成し、このロッド状部と、カム部２２１と、カム部２４１とはクランク機構を構成しているといえる。また、この装置本体部２０５には、モータ２１６の動作をオンオフするためのスイッチ（図示せず）が設けられている。
【０１２０】
また、櫛部４０は、上記実施例１や実施例２のの櫛部４０と同じ構成である。すなわち、櫛部４０は、基端部４２と、櫛本体部４４とを有している。この基端部４２は、櫛本体部４４を支持する支持部材であり、後端側にいくほど大径となるラッパ状を呈していて、その後端側には、軸部２５６と接続するための接続穴４２ａが設けられている。また、基端部４２は、その先端に棒状の接続部４２ｂを有している。
【０１２１】
また、櫛本体部４４は、接続部４２ｂに接続され、フレーム部４６と、櫛歯部４８とを有している。このフレーム部４６は、櫛部４０の軸線方向（Ｘ１−Ｘ２方向）に設けられた横方向部４６ａと、横方向部４６ａの後端側から下方向（Ｚ１−Ｚ２方向）に設けられた縦方向部４６ｂと、横方向部４６ａの先端側から下方向に設けられた縦方向部４６ｃとを有している。また、櫛歯部４８は、棒状を呈し、フレーム部４６の横方向部４６ａの下面から下方向（Ｚ１−Ｚ２方向）に向かって設けられている。この櫛歯部４８は、横方向部４６ａの軸線方向（長手方向）に沿って複数設けられている。
【０１２２】
なお、この櫛部４０は、装置本体部２０５に着脱自在となっている。つまり、装置本体部２０５の軸部２５６を櫛部４０の接続穴４２ａに挿入することにより、櫛部４０が装置本体部２０５に接続され、櫛部４０が装置本体部２０５に接続された状態から櫛部４０を軸線方向に抜き操作することにより、櫛部４０を装置本体部２０５から外すことができる。
【０１２３】
上記構成のトリートメント装置Ａ３の動作について説明する。まず、トリートメント装置Ａ３に設けられたスイッチを操作すると、モータ２１６が回転し、歯車２１８が回転する。すると、歯車２１８に歯合したギア２２０が回転し、これにより、ギア２３０が回転し、さらに、ギア２４０が回転する。
【０１２４】
ギア２２０が回転するに伴い、カム部２２１が回転し、カム部２２１が回転することにより、円筒状部２５０が上下動しながら往復動する。つまり、Ｚ１−Ｚ２方向に上下動しながらＸ１−Ｘ２方向に往復動する。また、ギア２４０が回転するに伴い、カム部２４１が回転し、カム部２４１が回転することにより、円筒状部２５４が上下動しながら往復動する。つまり、Ｚ１−Ｚ２方向に上下動しながらＸ１−Ｘ２方向に往復動する。このカム部２２１とカム部２４１とは、同期して回転するので、円筒状部２５０と円筒状部２５４とは、同期して上下動しながら往復動する。
【０１２５】
これにより、軸部２５６は、上下動しながら往復動するので、軸部２５６に接続された櫛部４０も上下動しながら往復動する。
【０１２６】
櫛部４０の具体的な動きとしては、ギア２２０とギア２４０とがＹ１側に見て左回転する場合には、軸部２５６が最も後端側から最も先端側に行くに従い、途中まで上昇して途中から降下し、軸部２５６が最も先端側から最も後端側に行くに従い、途中まで降下して途中から上昇する動きとなるので、これと同じように、櫛部４０も、最も後端側から最も先端側に行くに従い、途中まで上昇して途中から降下し、最も先端側から最も後端側に行くに従い、途中まで降下して途中から上昇する。つまり、図１１に示すように、櫛部４０が最も後端側にある４４−Ａの状態から４４−Ｂの状態を経て４４−Ｃの状態（最も先端側にある状態）になり、さらに、４４−Ｃの状態から４４−Ｄの状態を経て４４−Ａの状態に戻る。この動きを繰り返すことになる。つまり、櫛部４０は、軸線方向を向いた状態で周回運動をすることになる。なお、この場合も、櫛部４０の往復動における移動経路が、少なくとも該櫛部の該長手方向に直角な成分と該櫛部の長手方向の成分とを有する方向の経路を有するといえる。また、櫛部４０を櫛部４０の長手方向に向けた状態で周回移動させているともいえる。この櫛部４０の往復動の回数は、１０００〜５０００回／秒である。また、櫛部４０の往復動の振幅（軸線方向の振幅）は、２．０ｍｍ〜８．０ｍｍ（好ましくは、４．０ｍｍ（３．５ｍｍ〜４．５ｍｍとしてもよい））とするのが好ましい。
【０１２７】
なお、ギア２２０とギア２４０がＹ１側から見て右回転する場合には、上記とは逆の動きとなるので、４４−Ａの状態から４４−Ｄの状態を経て４４−Ｃの状態になり、さらに、４４−Ｂの状態を経て４４−Ａの状態に戻る。この動きを繰り返すことになる。つまり、櫛部４０は、軸線方向を向いた状態で周回運動をすることになる。この場合も、この櫛部４０の往復動の回数は、１０００〜５０００回／秒である。
【０１２８】
なお、トリートメント装置Ａ３の軸線方向と、軸部２５６の軸線方向と、櫛部４０の軸線方向（長手方向）は同じ方向であり、ともにＸ１−Ｘ２方向である。
【０１２９】
次に、トリートメント装置Ａ３の使用状態について説明する。まず、被施術者の髪に対して、髪を覆っている毛表皮（キューティクル）を開かせる。これは、髪をシャンプーする等して濡らしたり、スチーマーを使用したり、髪を濡らして加温する等して行なう。なお、この状態では、髪の内部には水分が十分膨潤していて飽和状態となっている。
【０１３０】
その後、トリートメント装置Ａ３を使用しながらトリートメントを行う。つまり、トリートメント液を髪に付着させ、トリートメント装置Ａ３を使用しながらトリートメント液を髪になじませる。つまり、トリートメント装置Ａ３の櫛部４０で髪をときながらトリートメント液をなじませていく。実際には、髪を小分けにして、トリートメント液をなじませる作業を繰り返す。
【０１３１】
すると、櫛部４０が往復動することにより、髪に適度な圧力が付与され、これにより、髪の内部に飽和状態となっていた水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。
【０１３２】
また、本実施例のトリートメント装置Ａ３においては、櫛部４０が往復動する際に上下動するので、櫛部４０から髪に対して付与される力が櫛部４０の軸線方向のみとはならず、該軸線方向に直角な方向の成分を持つ力も髪に付与されるので、髪に対して十分圧力を掛けることができ、髪の内部に飽和状態となっている水分を十分排出することができる。つまり、櫛歯部４８自体が上下動しながら往復動することにより髪に圧力が掛かるだけでなく、フレーム部４６の横方向部４６ａの櫛歯部４８側の面が髪に当たることから、軸線方向に直角な方向にも髪に圧力を掛けることができ、水分の排出のためにより十分な圧力を掛けることができる。また、特に、櫛部４０は、軸線方向を向いた状態で周回運動をするので、髪に対して複数の方向から圧力を掛けることができ、髪の水分を十分排出させることができる。
【実施例４】
【０１３３】
次に、本発明の実施例４に基づくトリートメント装置Ａ４は、上記実施例１のトリートメント装置Ａ１と同様に、櫛部が往復動するものであるが、２つの櫛部が設けられている点が異なる。
【０１３４】
すなわち、トリートメント装置Ａ４は、図１２、図１３に示すように構成され、装置本体部（本体部）３０５と、櫛部（第２櫛部）３３０と、櫛部３４０とを有している。
【０１３５】
ここで、装置本体部３０５は、櫛部３４０に対して往復動を出力するための装置であり、ケース部３１０と、動作機構部３１２とを有している。
【０１３６】
ケース部３１０は、細長状のケース状を呈し、内部に動作機構部３１２を収納するための収納空間を有し、後端部３１０ａと側面部３１０ｂと先端部３１０ｃとを有している。後端部３１０ａは、円形の平面状を呈している。また、側面部３１０ｂは筒状を呈し、その外周面は後端側から先端側の途中までは円筒状に形成され、先端側はテーパ状に形成されている。また、先端部３１０ｃは、円柱状の外形を呈し、先端部３１０ｃには、軸部３２６が挿通するための挿通穴３１０ｄが形成されている。この挿通穴３１０ｄは、円柱状に形成されていて、その意味では、先端部３１０ｃは、円筒状に形成されている。この挿通穴３１０ｄは、軸部３２６のガイド部としても機能する。なお、図１２は、ケース部３１０の一部を破断した状態で示されており、実際には、動作機構部３１２をカバーした状態となっている。
【０１３７】
また、動作機構部３１２は、実施例１における動作機構部１２と略同様の構成となっている。つまり、動作機構部３１２は、電源部３１４と、モータ（駆動部）３１６と、歯車３１８と、ギア３２０と、カム部３２２と、ロッド３２４と、軸部３２６とを有している。
【０１３８】
動作機構部３１２における電源部３１４と、モータ３１６と、歯車３１８と、ギア３２０と、カム部３２２と、ロッド３２４の各部の構成は、実施例１における各部の構成と同様の構成となっている。
【０１３９】
つまり、電源部３１４は、モータ３１６に電源を供給するためのものである。また、モータ３１６は、回転力を出力するものである。モータ３１６の回転数は、櫛部３４０の往復動の回数が１０００〜５０００回／秒となるような回転数となっている。このモータ３１６の出力軸には、歯車３１８が設けられている。
【０１４０】
また、ギア３２０は、円形板状の本体部３２０ａと、該本体部３２０ａの周端部に本体部３２０ａの面に直角な方向に形成された歯部３２０ｂとを有し、本体部３２０ａの中心には、回転軸部３２０ａ−１が本体部３２０ａに固定して設けられている。この回転軸部３２０ａ−１は、櫛部３４０の軸線方向（Ｘ１−Ｘ２方向）に直角の方向に設けられ、ケース部３１０に対して回転自在に設けられている。該歯部３２０ｂは、歯車３１８と歯合している。
【０１４１】
また、カム部３２２は、円柱状を呈し、その軸線が回転軸部３２０ａ−１の軸線と平行に設けられている。このカム部３２２は、一方の端面が本体部３２０ａに固定され、その軸線が回転軸部３２０ａ−１（厳密には、回転軸部３２０ａ−１の軸線）とずれた位置に固定されている。つまり、カム部３２２は、ギア３２０に対してその回転軸とは偏心した位置に設けられている。なお、カム部３２２には、カム部３２２の中心軸とは偏心した位置に挿通穴が設けられ、該回転軸部３２０ａ−１は、この挿通穴に挿通されて、カム部３２２は、回転軸部３２０ａ−１に固定されている。つまり、歯車３１８が回転すると、これにより、ギア３２０が回転し、カム部３２２が回転軸部３２０ａ−１を中心に回転するようになっている。
【０１４２】
また、ロッド３２４は、カム部３２２と軸部３２６間に設けられ、棒状部３２４ａと、棒状部３２４ａの端部に設けられた環状部３２４ｂとを有している。そして、棒状部３２４ａにおける、環状部３２４ｂが設けられている側とは反対側の端部が、カム部３２２の側面（Ｙ１側の側面）にカム部３２２に対して回転自在に設けられている。具体的には、棒状部３２４ａの端部には挿通穴が設けられて、該挿通穴にピン部３２５が挿通され、該ピン部３２５は、カム部３２２に固定されている。なお、このピン部３２５は、カム部３２２の回転中心（つまり、回転軸部３２０ａ−１）に対してずれた位置に設けられ、具体的には、回転軸部３２０ａ−１とは反対側の位置に設けられている。また、環状部３２４ｂは、軸部３２６における環状部３２６ｂと連結されている。
【０１４３】
また、軸部３２６は、軸部本体部３２６ａと、軸部本体部３２６ａの後端に設けられた環状部３２６ｂとを有している。
【０１４４】
ここで、軸部本体部３２６ａは、棒状の円柱状を呈している。軸部本体部３２６ａは、往復動可能に挿通穴３１０ｄ内に設けられている。また、環状部３２６ｂは、軸部本体部３２６ａの後端に設けられ、ロッド３２４における環状部３２４ｂと連結している。また、軸部本体部３２６ａの先端側は、尖った形状に形成され、その端部に櫛部３４０が設けられている。
【０１４５】
また、この装置本体部３０５には、モータ３１６の動作をオンオフするためのスイッチ（図示せず）が設けられている。なお、モータ３１６と、歯車３１８と、ギア３２０と、カム部３２２と、ロッド３２４とで上記往復運動出力部を構成している。
【０１４６】
次に、櫛部３３０は、支持部３３２と、櫛歯部３３４とを有している。この支持部３３２は、トリートメント装置Ａ３の軸線方向（Ｘ１−Ｘ２方向）に設けられ、平板状部３３２ａと湾曲状部３３２ｂとを有している。つまり、平板状部３３２ａは、横方向（Ｘ１−Ｘ２方向）に細長の長方形状を呈する板状を呈し、平板状部３３２ａの表裏の平面部は、縦方向に立設した方向となっている。また、湾曲状部３３２ｂは、平板状部３３２ａの上端に沿って細長に形成され、櫛部３４０側（Ｙ１側）に湾曲した形状を呈している。この湾曲状部３３２ｂが形成されることによって、支持部３３２の櫛部３４０側（Ｙ１側）の空間で、櫛歯部３３４の上側と湾曲状部３３２ｂとで囲まれる空間が櫛部３４０の支持部３４２の配設空間となり、往復動する支持部３４２の上方をカバーする役目も果たしている。
【０１４７】
また、櫛歯部３３４は、支持部３３２の側面（Ｙ１側の側面）の下側から下方向（Ｚ１−Ｚ２方向）に設けられ、棒状を呈し、先端が他よりも幅狭な形状を呈している。この櫛歯部３３４は、支持部３３２の軸線方向（長手方向）に沿って複数設けられている。
【０１４８】
なお、支持部３３２の先端には、縦方向部３３３ａが設けられ、支持部３３２の後端には、縦方向部３３３ｂが設けられている。該縦方向部３３３ａは、支持部３３２の先端位置の側面の下側から下方向（Ｚ１−Ｚ２方向）に設けられている。また、縦方向部３３３ｂは、支持部３３２の後端位置の側面の下側から下方向（Ｚ１−Ｚ２方向）に設けられている。これにより、縦方向部３３３ａと、複数の櫛歯部３３４と、縦方向部３３３ｂとは、直線状に一列に設けられているといえる。なお、縦方向部３３３ａと支持部３３２と縦方向部３３３ｂとでフレーム部が構成されているといえる。
【０１４９】
また、櫛部３４０は、支持部３４２と、櫛歯部３４４とを有している。この支持部３４２は、トリートメント装置Ａ４の軸線方向（Ｘ１−Ｘ２方向）に設けられ、平板状に形成されている。つまり、支持部３４２は、横方向（Ｘ１−Ｘ２方向）に細長の長方形状を呈する板状を呈し、支持部３４２の表裏の平面部は、縦方向に立設した方向となっている。なお、支持部３４２は、軸部３２６に接続されていて、具体的には、支持部３４２の後端が軸部３２６の先端と接続されている。
【０１５０】
また、櫛歯部３４４は、支持部３４２の下端から下方向（Ｚ１−Ｚ２方向）に設けられ、棒状を呈し、先端が他よりも幅狭な形状を呈している。この櫛歯部３４４は、支持部３４２の軸線方向（長手方向）に沿って複数設けられている。つまり、櫛歯部３４４は、直線状に一列に設けられている。
【０１５１】
ここで、櫛歯部３３４と櫛歯部３４４とは、一列に配設されている。つまり、櫛歯部３３４と櫛歯部３４４とは、Ｙ１−Ｙ２方向には同じ位置に設けられていて、直線状に一列に配設され、櫛歯部３３４の中心線（つまり、Ｘ１−Ｘ２方向の中心線）と櫛歯部３４４の中心線（つまり、Ｘ１−Ｘ２方向の中心線）とは一致している。なお、櫛部３３０における隣接する櫛歯部３３４間の距離（つまり、隣接する櫛歯部３３４間の軸線方向の距離）Ｇ１（図１３参照）（複数の櫛歯部３３４は、距離Ｇ１間隔で設けられているといえる）は、通常の櫛における隣接する櫛歯部間の距離よりも大きく形成され、特に、櫛歯部３４４が往復動する関係から、通常の櫛における隣接する櫛歯部間の距離の２倍以上の距離とするのが好ましく、具体的には、３．０ｍｍ〜９．０ｍｍ程度となっている。同様に、櫛部３４０における隣接する櫛歯部３４４間の距離（つまり、隣接する櫛歯部３４４間の軸線方向の距離）Ｇ２（図１３参照）（複数の櫛歯部３４４は、距離Ｇ２間隔で設けられているといえる）は、隣接する上記櫛歯部３３４間の距離Ｇ１と同じ長さに形成され、通常の櫛における隣接する櫛歯部間の距離よりも大きく形成され、特に、通常の櫛における隣接する櫛歯部間の距離の２倍以上の距離とするのが好ましく、具体的には、３．０ｍｍ〜９．０ｍｍ程度となっている。
【０１５２】
よって、櫛歯部３４４は、隣接する両側の櫛歯部３３４間を往復動することになるが、往復動する櫛歯部３４４の振幅は、隣接する両側の櫛歯部３４４間の距離以下となっている。つまり、櫛歯部３４４が往復動する際の後端位置と先端位置との間の距離は、隣接する両側の櫛歯部３４４間の距離Ｓ１以下となっている（図１４参照）。
【０１５３】
なお、往復動する櫛歯部３４４の移動領域の長さ（櫛歯部３４４が往復動する際の移動領域の後端位置と先端位置との間の距離）は、隣接する両側の櫛歯部３４４間の距離よりも小さく、櫛歯部３３４と櫛歯部３４４とが最も近接した場合でも、櫛歯部３３４と櫛歯部３４４との間に所定の隙間があるようにするのが好ましい。
【０１５４】
具体的には、図１４に示すように、往復動する櫛歯部３４４の移動領域Ｓ２（往復動する櫛歯部３４４の移動領域の端部から端部までの距離）は、隣接する両側の櫛歯部３４４間の距離Ｓ１よりも小さく、櫛歯部３３４と櫛歯部３４４とが最も近接した場合に、先端側には隙間Ｓ３が存在し、後端側にも隙間Ｓ４が存在する。このようにすることにより、髪を解く際に支障となることがなく、また、髪を傷付けることがない。また、櫛歯部３４４が櫛歯部３３４に接触することがないので、装置の故障の防止となる。なお、この隙間Ｓ３や隙間Ｓ４の大きさとしては任意であるが、例えば、０．５ｍｍ〜２．０ｍｍとするのが好ましい。また、櫛歯部３４４の振幅は、２．０ｍｍ〜８．０ｍｍ（好ましくは、３．０ｍｍ〜４．０ｍｍ）とするのが好ましい。
【０１５５】
上記構成のトリートメント装置Ａ４の動作について説明する。まず、トリートメント装置Ａ４に設けられたスイッチを操作すると、モータ３１６が回転し、歯車３１８が回転する。すると、歯車３１８に歯合したギア３２０が回転し、これにより、カム部３２２が回転する。このカム部３２２が回転することにより、ロッド３２４の環状部３２４ｂがトリートメント装置Ａ４の軸線方向（Ｘ１−Ｘ２方向）に往復動し、これにより、軸部３２６が往復動し、軸部３２６が往復動することにより、軸部３２６に接続された櫛部３４０が往復動する。なお、挿通穴３１０ｄが設けられているので、軸部３２６は、上下動することなく往復動し、櫛部４０も上下動することなく往復動する。この櫛部３４０の往復動の回数は、１０００〜５０００回／秒である。
【０１５６】
なお、トリートメント装置Ａ４の軸線方向と、軸部３２６の軸線方向と、櫛部３４０の軸線方向（長手方向）と、櫛部３３０の軸線方向（長手方向）は同じ方向であり、ともにＸ１−Ｘ２方向である。
【０１５７】
次に、トリートメント装置Ａ４の使用状態について説明する。まず、被施術者の髪に対して、髪を覆っている毛表皮（キューティクル）を開かせる。これは、髪をシャンプーする等して濡らしたり、スチーマーを使用したり、髪を濡らして加温する等して行なう。なお、この状態では、髪の内部には水分が十分膨潤していて飽和状態となっている。
【０１５８】
その後、トリートメント装置Ａ４を使用しながらトリートメントを行う。つまり、トリートメント液を髪に付着させ、トリートメント装置Ａ４を使用しながらトリートメント液を髪になじませる。つまり、トリートメント装置Ａ４の櫛部３４０で髪をときながらトリートメント液をなじませていく。実際には、髪を小分けにして、トリートメント液をなじませる作業を繰り返す。
【０１５９】
すると、櫛部３４０が往復動することにより、髪に適度な圧力が付与され、これにより、髪の内部に飽和状態となっていた水分が排出され、毛表皮が開いた状態で、かつ、髪の内部の水分が排出された状態となるので、髪の内部にトリートメント液が浸透していく。つまり、トリートメント液は髪の内部に許容量だけ浸透していく。
【０１６０】
特に、本実施例のトリートメント装置Ａ４においては、櫛歯部３３４と櫛歯部３４４とが一列に配設され、櫛歯部３４４が隣接する両側の櫛歯部３３４間を往復動するので、髪が櫛歯部３３４と櫛歯部３４４とで挟んだ状態となり、髪に対して同時に左右両側から圧力が掛けられるので、髪の内部の水分を十分排出することができる。
【０１６１】
なお、上記の実施例４においては、櫛部３４０のみが往復動し、櫛部３３０は固定されているものであるが、櫛部３３０も往復動するものとしてもよい。例えば、ギア３２０のＹ２側にもカム部と、該カム部に接続されたロッドと、ロッドに接続された軸部とを設け、該軸部の先端に櫛部３３０を設ける。これらのカム部やロッドや軸部が上記第２動作機構部に当たる。その場合でも、櫛部３３０の櫛歯部と櫛部３４０の櫛歯部とは一列に配設されるようにする。そして、櫛部３３０と櫛部３４０の動きは、反対方向に同期するようにし、櫛部３３０が最も先端にある場合には、櫛部３４０が最も後端にあるようにし、櫛部が３３０が最も後端にある場合には、櫛部３４０が最も先端にあるようにする。そして、櫛歯部３３４と櫛歯部３４４とが最も近接した場合には、少なくとも櫛歯部３３４と櫛歯部３４４とが接するようにし、好ましくは、櫛歯部３３４と櫛歯部３４４とが最も近接した場合でも、櫛歯部３３４と櫛歯部３４４との間に所定の隙間があるようにする。
【０１６２】
また、上記の実施例４において、櫛部３３０と櫛部３４０は上記の構成であるとしたが、図１５〜図１８に示す構成としてもよい。
【０１６３】
すなわち、図１５〜図１８に示すトリートメント装置Ａ４’においては、トリートメント装置Ａ４における櫛部３３０の代わりに櫛部３５０が設けられ、櫛部３４０の代わりに櫛部３８０が設けられている。
【０１６４】
ここで、櫛部３５０は、支持部３５２と、櫛歯部３５４とを有し、支持部３５２は、支持部３３２と同様の構成である。すなわち、支持部３５２は、トリートメント装置Ａ４’の軸線方向（Ｘ１−Ｘ２方向）に設けられ、平板状部３５２ａと湾曲状部３５２ｂとを有している。
【０１６５】
また、櫛歯部３５４は、本体部３５６と、円筒状部３７０とを有している。つまり、本体部３５６は、基端部３５８と、柱状部３６０と、先端部３６２とを有し、基端部３５８は、支持部３５２の側面（Ｙ１側の側面）の下側に設けられ、上側部分が直方体を呈するとともに下側部分が、その上端が四角形状を呈し下端が円形を呈する形状となっている。また、柱状部３６０は、基端部３５８の下端から下方向（Ｚ１−Ｚ２方向）に設けられ、円柱状を呈している。また、先端部３６２は、少なくともその上端が柱状部３６０よりも大径に形成されていて、略逆円錐台形状を呈している。
【０１６６】
また、円筒状部３７０は、基端部３５８と先端部３６２間の柱状部３６０の周囲に設けられ、円筒状を呈している。この円筒状部３７０の内径は、柱状部３６０の外径よりも大きく形成されていて、円筒状部３７０が柱状部３６０に対して容易に回転するように形成されている。なお、この円筒状部３７０の外径は、先端部３６２の上端の外径と略同一であり、円筒状部３７０の周面と先端部３６２の周面とが連続面となっている。円筒状部３７０は、先端部３６２により脱落が防止されている。
【０１６７】
また、櫛部３８０は、支持部３８２と、櫛歯部３８４とを有している。この支持部３８２は、トリートメント装置Ａ４’の軸線方向（Ｘ１−Ｘ２方向）に設けられ、平板状に形成されている。つまり、支持部３８２は、横方向（Ｘ１−Ｘ２方向）に細長の長方形状を呈する板状を呈し、支持部３８２の表裏の平面部は、縦方向に立設した方向となっている。なお、支持部３８２は、軸部３２６に接続されていて、具体的には、支持部３８２の後端が軸部３２６の先端と接続されている。
【０１６８】
また、櫛歯部３８４は、本体部３８６と、円筒状部４００とを有している。つまり、本体部３８６は、基端部３８８と、柱状部３９０と、先端部３９２とを有し、基端部３８８は、支持部３８２の下端に設けられ、その上端が四角形状を呈し下端が円形を呈する形状となっている。また、柱状部３９０は、基端部３８８の下端から下方向（Ｚ１−Ｚ２方向）に設けられ、円柱状を呈している。また、先端部３９２は、少なくともその上端が柱状部３９０よりも大径に形成されていて、略逆円錐台形状を呈している。
【０１６９】
また、円筒状部４００は、基端部３８８と先端部３９２間の柱状部３９０の周囲に設けられ、円筒状を呈している。この円筒状部４００の内径は、柱状部３９０の外径よりも大きく形成されていて、円筒状部４００が柱状部３９０に対して容易に回転するように形成されている。なお、この円筒状部４００の外径は、先端部３９２の上端の外径と略同一であり、円筒状部４００の周面と先端部３９２の周面とが連続面となっている。円筒状部４００は、先端部３９２により脱落が防止されている。以上のように、柱状部３９０と先端部３９２と円筒状部４００の各構成は、上記櫛部３５０の場合と同様の構成であるといえる。
【０１７０】
なお、櫛部３５０における隣接する櫛歯部３５４間の距離（つまり、隣接する櫛歯部３５４間の軸線方向の距離）Ｇ３（図１６参照）（複数の櫛歯部３５４は、距離Ｇ３間隔で設けられているといえる）は、通常の櫛における隣接する櫛歯部間の距離よりも大きく形成され、特に、櫛歯部３８４が往復動する関係から、通常の櫛における隣接する櫛歯部間の距離の２倍以上の距離とするのが好ましく、具体的には、３．０ｍｍ〜９．０ｍｍ程度となっている。同様に、櫛部３８０における隣接する櫛歯部３８４間の距離（つまり、隣接する櫛歯部３８４間の軸線方向の距離）Ｇ４（図１６参照）（複数の櫛歯部３８４は、距離Ｇ３間隔で設けられているといえる）は、隣接する上記櫛歯部３５４間の距離Ｇ３と同じ長さに形成され、通常の櫛における隣接する櫛歯部間の距離よりも大きく形成され、特に、通常の櫛における隣接する櫛歯部間の距離の２倍以上の距離とするのが好ましく、具体的には、３．０ｍｍ〜９．０ｍｍ程度となっている。
【０１７１】
なお、上記トリートメント装置Ａ４における場合と同様に、櫛歯部３８４は、隣接する両側の櫛歯部３５４間を往復動することになるが、往復動する櫛歯部３８４の振幅（この場合の振幅は、往復動する櫛歯部３４４の移動領域の端部から端部までの距離を示す）は、隣接する両側の櫛歯部３５４間の距離以下となっている。つまり、櫛歯部３８４が往復動する際の移動領域の後端位置と先端位置との間の距離は、隣接する両側の櫛歯部３５４間の距離以下となっている。また、上記トリートメント装置Ａ４の場合と同様に、往復動する櫛歯部３８４の振幅は、隣接する両側の櫛歯部３５４間の距離よりも小さく、櫛歯部３５４と櫛歯部３８４とが最も近接した場合でも、櫛歯部３５４と櫛歯部３８４との間に所定の隙間があるようにするのが好ましい。なお、トリートメント装置Ａ４の場合と同様に、該所定の隙間の大きさは任意であるが、例えば、０．５ｍｍ〜２．０ｍｍとするのが好ましい。また、櫛歯部３８４の振幅は、２．０ｍｍ〜８．０ｍｍ（好ましくは、３．０ｍｍ〜４．０ｍｍ）とするのが好ましい。
【０１７２】
以上のように、上記トリートメント装置Ａ４’においては、櫛部３５０と櫛部３８０において、櫛歯部に回転自在な円筒状部が設けられているといえる。なお、上記以外の構成は、上記トリートメント装置Ａ４と同様の構成であるので、詳しい説明を省略する。
【０１７３】
トリートメント装置Ａ４’においては、櫛部３５０、３８０が上記のように構成されているので、櫛歯部３５４や櫛歯部３８４に髪が絡まった場合でも、円筒状部３７０や円筒状部４００が回転することにより、絡まった髪を容易にほどくことができる。
【０１７４】
また、トリートメント装置Ａ４’において、櫛歯部３５４や櫛歯部３８４の構成を図１９や図２０に示す構成としてもよい。
【０１７５】
すなわち、図１９、図２０に示す櫛歯部３５４、３８４は、主として、柱状部の構成が異なる。なお、櫛歯部３５４の構成と櫛歯部３８４の構成は、基端部の構成を除き同様の構成であるので、以下では、櫛歯部３５４を例に取って説明する。なお、図１９、図２０の構成における基端部３５８の構成は上記トリートメント装置Ａ４’における基端部３５８と同様の構成である。
【０１７６】
すなわち、櫛歯部３５４は、本体部３５６と、円筒状部３７０とを有している。つまり、本体部３５６は、基端部３５８と、柱状部３６０と、先端部３６２とを有している。
【０１７７】
ここで、柱状部３６０は、円柱状部３６０ａと、弾性部３６４ａ〜３６４ｈとを有している。
【０１７８】
ここで、円柱状部３６０ａは、円柱状を呈し、基端部３５６と先端部３６２間に設けられている。
【０１７９】
また、弾性部３６４ａ〜３６４ｈは、円柱状部３６０ａの側面から突出し、棒状を湾曲又は屈曲させた形状を呈している。つまり、弾性部３６４ａ〜３６４ｈにおける各弾性部は同じ構成であるので、弾性部３６４ａを例に取って説明すると、弾性部３６４ａは、円柱状部３６０ａの側面から外側（つまり、円柱状部３６０ａの側面から離れる方向）に突出した棒状の第１構成部Ｋ１と、該第１構成部から連設された棒状の第２構成部Ｋ２で、内側（つまり、円柱状部３６０ａの側面に近づく方向）に突出した棒状の第２構成部Ｋ２とを有し、第１構成部Ｋ１と第２構成部Ｋ２の間の部分は、屈曲するかあるいは湾曲した形状となっている。
【０１８０】
また、円柱状部３６０ａにおける高さ方向の同じ位置に、複数の弾性部が放射状に設けられている。つまり、図１９に示すように、弾性部３６４ａ〜３６４ｄが、互いに点対称の位置に放射状に設けられ、また、弾性部３６４ｅ〜３６４ｈが、互いに点対称の位置に放射状に設けられている。また、弾性部３６４ａ〜３６４ｄからなる弾性部群を第１弾性部群とし、弾性部３６４ｅ〜３６４ｈからなる弾性部群を第２弾性部群とした場合に、第１弾性部群と第２弾性部群とは、高さ方向に交互に設けられている。また、第１弾性部群における各弾性部の方向（つまり、放射状の方向）と、第２弾性部群における各弾性部群の方向（つまり、放射状の方向）は、異なる方向となっていて、第２弾性部群における各弾性部の方向は、第１弾性部群における各弾性部の方向の中間の方向になっている。つまり、上方から視認した場合には、第２弾性部群の各弾性部は、第１弾性部群の各弾性部の中間の方向にあり、例えば、弾性部３６４ｅは、弾性部３６４ａの方向と弾性部３６４ｂの方向の中間の方向にあり、弾性部３６４ｅは弾性部３６４ａに対して４５度をなし、弾性部３６４ｂに対しても４５度をなしている。なお、第１弾性部群、第２弾性部群ともに、上方から視認した場合に、隣接する弾性部は互いに直角をなしている。
【０１８１】
また、先端部３６２と円筒状部３７０の構成は、上記トリートメント装置Ａ４’の場合と同様であるので、詳しい説明を省略する。
【０１８２】
また、櫛歯部３８４の構成は、櫛歯部３５４と同様である。すなわち、櫛歯部３８４は、本体部３８６と、円筒状部４００とを有している。つまり、本体部３８６は、基端部３８８と、柱状部３９０と、先端部３９２とを有し、柱状部３９０は、円柱状部３９０ａと、弾性部３９４ａ〜３９４ｈとを有している。
【０１８３】
この図１９、図２０に示す構成においては、上記トリートメント装置Ａ４’の場合と同様に、櫛歯部３５４や櫛歯部３８４に髪が絡まった場合でも、円筒状部３７０や円筒状部４００が回転することにより、絡まった髪を容易にほどくことができる。また、柱状部３６０、３９０に弾性部が設けられているので、図２０に示すように、円筒状部３７０、４００が横方向に移動可能となり、絡まった髪を容易にほどくことができる。さらに、第１弾性部群と第２弾性部群とが交互に設けられているので、円筒状部３７０、４００が横方向のいずれの方向にも（つまり、３６０度いずれの方向にも）均等に移動することができ、より容易に絡まった髪をほどくことができる。
【０１８４】
なお、上記弾性部の構成は、円筒状部３７０、４００が回転可能で、かつ、円筒状部３７０、４００が横方向に移動可能な構成であれば他の構成としてもよい。
【０１８５】
なお、櫛部の櫛歯部の構成を図１５〜図１８のような構成とする点や、櫛部の櫛歯部の構成を図１９、図２０のような構成とする点は、上記実施例４のみならず、実施例１〜実施例３に適用してもよい。この場合でも、絡まった髪を容易にほどくことが可能となる。つまり、実施例４の場合には、２つの櫛部における各櫛歯部によって髪を挟む状態となるため、櫛歯部の構成を図１５〜図１８のような構成とする点や、櫛部の櫛歯部の構成を図１９、図２０のような構成とする点は大きな効果があるといえるが、実施例１〜３の場合でも、円筒状部３７０、４００が回転したり、横方向に移動することにより髪の絡みを防止することが可能となる。
【０１８６】
また、上記実施例４やこれの応用例においては、櫛部３４０や櫛部３８０は、上下動することなく往復動するとして説明したが、動作機構部３１２を実施例２や実施例３における動作機構部として上下動しながら往復動する構成としてもよい。
【０１８７】
また、上記の説明においては、櫛歯部３５４が本体部３５６と円筒状部３７０とを有し、櫛歯部３８４が本体部３８６と円筒状部４００とを有する構成としたが、このように櫛歯部が本体部と円筒状部とを有する構成を通常の櫛（つまり、この場合の櫛は、櫛を往復動させるものではない）に適用してもよい。つまり、複数の櫛歯部を有する櫛において、櫛歯部を上記本体部や円筒状部が設けられた構成とする。つまり、「複数の櫛歯部と、該櫛歯部を支持する本体部とを有する櫛において、該櫛歯部は、該本体部から連設された櫛歯部本体と、該櫛歯部本体に周設された該櫛歯部本体に対して回転可能な円筒状部とを有することを特徴とする櫛。」とする。また、該構成において、「上記櫛歯部における櫛歯部本体は、円柱状を呈する柱状部と、該柱状部の先端に設けられ、該柱状部よりも大径な先端部とを有し、上記円筒状部は、該柱状部の周りに設けられていることを特徴とする。」とする。さらに、該構成において、「上記櫛歯部における円筒状部の内径は、櫛歯部本体における柱状部の外径よりも大径であり、該柱状部の周囲には、弾性部材が設けられていることを特徴とする。」とする。
【図面の簡単な説明】
【０１８８】
【図１】実施例１〜実施例３におけるトリートメント装置の構成を示す斜視図である。
【図２】実施例１のトリートメント装置の構成を示す一部破断斜視図である。
【図３】実施例１〜実施例３のトリートメント装置の構成を示す分解斜視図である。
【図４】実施例１のトリートメント装置の構成を示す分解斜視図である。
【図５】実施例２のトリートメント装置の構成を示す一部破断斜視図である。
【図６】実施例２のトリートメント装置における揺動部の構成を示す斜視図である。
【図７】実施例２のトリートメント装置の動作を説明するための説明図である。
【図８】実施例２のトリートメント装置の動作を説明するための説明図である。
【図９】実施例２のトリートメント装置の動作を説明するための説明図である。
【図１０】実施例３のトリートメント装置の構成を示す一部破断斜視図である。
【図１１】実施例３のトリートメント装置の動作を説明するための説明図である。
【図１２】実施例４のトリートメント装置の構成を示す一部破断斜視図である。
【図１３】実施例４のトリートメント装置における櫛部の構成を示す要部斜視図である。
【図１４】実施例４のトリートメント装置における櫛部の構成を説明するための説明図である。
【図１５】実施例４のトリートメント装置の他の構成を示す要部斜視図である。
【図１６】実施例４のトリートメント装置の他の構成における櫛部の構成を示す要部斜視図である。
【図１７】櫛歯部の構成を示す一部縦断面図である。
【図１８】図１７におけるＰ−Ｐ断面図である。
【図１９】櫛歯部の他の構成を示す一部縦断面図である。
【図２０】図１９の構成の櫛歯部の動作を説明するための説明図である。
【符号の説明】
【０１８９】
Ａ１、Ａ２、Ａ３、Ａ４、Ａ４’  トリートメント装置
１０、１１０、２１０、３１０、ケース部
１２、１１２、２１２、３１２  動作機構部
１６、１１６、２１６、３１６  モータ
１８、１１８、２１８、３１８  歯車
２０、１２０、２２０、２３０、２４０、３２０  ギア
２２、１２２、２２１、２４１、３２２  カム部
２４、１２４、３２４  ロッド
２６、１２６、２５２、２５６、３２６  軸部
４０、３３０、３４０、３５０、３８０  櫛部
４６  フレーム部
４８、３３４、３４４、３５４、３８４  櫛歯部
１３０  揺動部
１３２  筒状部
１３６ａ、１３６ｂ  ステー
２５０、２５４、３７０、４００  円筒状部
３５６、３８６  本体部
３７０  円筒状部
３６４ａ〜３６４ｈ  弾性部
【図１】
2006304988.tif 000003
【図２】
2006304988.tif 000004
【図３】
2006304988.tif 000005
【図４】
2006304988.tif 000006
【図５】
2006304988.tif 000007
【図６】
2006304988.tif 000008
【図７】
2006304988.tif 000009
【図８】
2006304988.tif 000010
【図９】
2006304988.tif 000011
【図１０】
2006304988.tif 000012
【図１１】
2006304988.tif 000013
【図１２】
2006304988.tif 000014
【図１３】
2006304988.tif 000015
【図１４】
2006304988.tif 000016
【図１５】
2006304988.tif 000017
【図１６】
2006304988.tif 000018
【図１７】
2006304988.tif 000019
【図１８】
2006304988.tif 000020
【図１９】
2006304988.tif 000021
【図２０】
2006304988.tif 000022